(57)【要約】  本発明では、携帯電話機及び他の電子機器は、コンテンツを携帯電話機上に、又は携帯電話会社が管理した場所に保存するのではなく、リンクを介してコンテンツにアクセスする。ユーザは、携帯電話機上でリンクにアクセスすることによってコンテンツを読み出し、その結果、コンテンツをコンテンツプロバイダの場所から携帯電話機に直接転送することになる。このように、携帯電話会社は、コンテンツの記憶領域を確保する必要がなく、ユーザがコンテンツを保存又は要求していることが通知されるコンテンツプロバイダは、ユーザに、アップグレードされたコンテンツ、置換コンテンツ及び関連コンテンツを提供することができる。ユーザ関連コンテンツをより良く提供するために、携帯電話機、ユーザ、又はその両方の購入履歴は保持される。
2010517173.tif 000002
【特許請求の範囲】
【請求項１】
コンテンツをモバイル機器に供給するコンテンツ供給方法において、
上記コンテンツのソースを判定するステップと、
上記ソースから上記コンテンツを、上記モバイル機器がアクセス可能な記憶場所に送信するステップとを有するコンテンツ供給方法。
【請求項２】
上記記憶場所は、上記モバイル機器上にあることを特徴とする請求項１記載のコンテンツ供給方法。
【請求項３】
上記コンテンツは、上記ソースから上記モバイル機器に直接送信されることを特徴とする請求項２記載のコンテンツ供給方法。
【請求項４】
上記記憶場所は、上記モバイル機器から遠隔にあることを特徴とする請求項１記載のコンテンツ供給方法。
【請求項５】
上記記憶場所にある上記コンテンツにアクセスする選択可能なリンクを、上記モバイル機器に保存するステップを更に有する請求項４記載のコンテンツ供給方法。
【請求項６】
上記ソースを、上記コンテンツ、上記モバイル機器又はその両方に関連付けるデータを保存するステップを更に有する請求項１記載のコンテンツ供給方法。
【請求項７】
上記データは、上記モバイル機器及び上記記憶場所とは異なる場所に保存されていることを特徴とする請求項６記載のコンテンツ供給方法。
【請求項８】
上記ソースを判定するために、上記データを解析するステップを更に有する請求項６記載のコンテンツ供給方法。
【請求項９】
上記データは、上記ソースへのパス名を含むことを特徴とする請求項６記載のコンテンツ供給方法。
【請求項１０】
上記パス名は、ユニフォームリソースロケータを含むことを特徴とする請求項９記載のコンテンツ供給方法。
【請求項１１】
上記ソースを判定するステップは、
上記コンテンツの１つ以上の場所を問い合わせるステップを有することを特徴とする請求項１記載のコンテンツ供給方法。
【請求項１２】
上記１つ以上の場所は、サードパーティコンテンツプロバイダを含むことを特徴とする請求項１１記載のコンテンツ供給方法。
【請求項１３】
上記コンテンツに対応するアイコンを、上記モバイル機器上に表示するステップと、
上記アイコンを選択して、上記コンテンツを上記ソースから上記記憶場所に自動的に送信するステップとを更に有する請求項１記載のコンテンツ供給方法。
【請求項１４】
上記コンテンツを、複数のソースから単一の集約インタフェースを介して自動的に読み出すステップを更に有する請求項１記載のコンテンツ供給方法。
【請求項１５】
上記複数のソースは、サードパーティコンテンツプロバイダを含むことを特徴とする請求項１４記載のコンテンツ供給方法。
【請求項１６】
機器からコンテンツにアクセスするコンテンツアクセス方法において、
記憶装置に保存されているコンテンツのリンクを、上記機器によって選択するステップと、
上記リンクの選択に応じて、上記機器によって上記コンテンツに自動的にアクセスするステップとを有するコンテンツアクセス方法。
【請求項１７】
上記記憶装置は、上記機器から遠隔にあることを特徴とする請求項１６記載のコンテンツアクセス方法。
【請求項１８】
上記リンクを選択するステップは、
上記コンテンツのコピーを上記記憶装置から上記機器に送信するステップを有することを特徴とする請求項１７記載のコンテンツアクセス方法。
【請求項１９】
上記コンテンツにアクセスするステップは、
上記コンテンツが上記記憶装置に保存されていないことを判定するステップと、
上記コンテンツを上記記憶装置に受信するステップとを有することを特徴とする請求項１６記載のコンテンツアクセス方法。
【請求項２０】
上記遠隔の場所は、サードパーティコンテンツプロバイダに対応することを特徴とする請求項１９記載のコンテンツアクセス方法。
【請求項２１】
上記コンテンツが記憶装置に保存されていないことを判定するステップは、
上記記憶装置に、上記コンテンツのハッシュに一致するハッシュを有するコンテンツがないことを判定するステップを有することを特徴とする請求項１９記載のコンテンツアクセス方法。
【請求項２２】
上記機器は、携帯電話機、携帯情報端末又はパーソナルコンピュータからなることを特徴とする請求項１６記載のコンテンツアクセス方法。
【請求項２３】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項１６記載のコンテンツアクセス方法。
【請求項２４】
第１の機器にコンテンツを提供するコンテンツ提供方法において、
１つ以上のエンティティに関連した取得履歴を保存するステップと、
上記取得履歴に基づくコンテンツの申込みを、上記第１の機器上に表示するステップとを有するコンテンツ提供方法。
【請求項２５】
上記１つ以上のエンティティは、ユーザに対応することを特徴とする請求項２４記載のコンテンツ提供方法。
【請求項２６】
上記１つ以上のエンティティは、モバイル機器に対応することを特徴とする請求項２４記載のコンテンツ提供方法。
【請求項２７】
上記コンテンツの申込みは、コンテンツの購入、コンテンツの定期購読、コンテンツのライセンシング、コンテンツのアップグレード、コンテンツの置換又はこれらの組合せであることを特徴とする請求項２４記載のコンテンツ提供方法。
【請求項２８】
更新されたコンテンツは、上記取得履歴に対応するコンテンツを変換又はサイズ変更したコンテンツからなることを特徴とする請求項２７記載のコンテンツ提供方法。
【請求項２９】
置換又は更新するコンテンツを、上記第１の機器に自動的に受信するステップを更に有する請求項２４記載のコンテンツ提供方法。
【請求項３０】
上記取得履歴は、コンテンツプロバイダの場所に保存されていることを特徴とする請求項２４記載のコンテンツ提供方法。
【請求項３１】
上記１つ以上のエンティティに関連した取得履歴を得るために、上記コンテンツプロバイダの場所をポーリングするステップを更に有する請求項３０記載のコンテンツ提供方法。
【請求項３２】
上記１つ以上のエンティティに関連した取得履歴が保存されているコンテンツプロバイダの場所から、通知を自動的に受信するステップを更に有する請求項３０記載のコンテンツ提供方法。
【請求項３３】
上記１つ以上のエンティティによって取得されたコンテンツに関するメタデータを保存するステップを更に有する請求項２４記載のコンテンツ提供方法。
【請求項３４】
上記メタデータは、コンテンツの名前、コンテンツの説明、コンテンツのサイズ、コンテンツのフォーマット、コンテンツの符号化、コンテンツの作成者又はこれらの組合せを含むことを特徴とする請求項２４記載のコンテンツ提供方法。
【請求項３５】
上記取得履歴は、ライセンスの使用回数を含むことを特徴とする請求項２４記載のコンテンツ提供方法。
【請求項３６】
機器にコンテンツを提供するコンテンツ提供方法において、
１つ以上のエンティティに取得されたコンテンツの第１のリストを表示するステップと、
上記第１のリスト内の１つ以上のアイテムを、第１のモバイル機器に送信するステップとを有するコンテンツ提供方法。
【請求項３７】
上記１つ以上のアイテムは、該１つ以上のアイテムの選択に応じて送信されることを特徴とする請求項３６記載のコンテンツ提供方法。
【請求項３８】
上記第１のリストを上記第１のモバイル機器に送信するステップと、
上記１つ以上のアイテムを、上記第１のモバイル機器によって選択するステップとを更に有する請求項３６記載のコンテンツ提供方法。
【請求項３９】
上記第１のリストを表示するステップ、上記１つ以上のアイテムを選択するステップ及び上記１つ以上のアイテムを送信するステップは、全て上記第１のモバイル機器から遠隔にある場所で実行されることを特徴とする請求項３８記載のコンテンツ提供方法。
【請求項４０】
モバイル機器の第２のリストを選択するステップと、
上記１つ以上のアイテムを、上記第２のリスト内のモバイル機器に送信するステップとを更に有する請求項３６記載のコンテンツ提供方法。
【請求項４１】
上記１つ以上のアイテムは、上記第１のモバイル機器に自動的に送信されることを特徴とする請求項３６記載のコンテンツ提供方法。
【請求項４２】
上記第１のリストは、上記第１のモバイル機器、上記第２のモバイル機器又はその両方に関連した取得履歴から生成されることを特徴とする請求項３６記載のコンテンツ提供方法。
【請求項４３】
上記第１及び第２のモバイル機器は、異なることを特徴とする請求項４２記載のコンテンツ提供方法。
【請求項４４】
上記第１及び第２のモバイル機器は、同じであることを特徴とする請求項４２記載のコンテンツ提供方法。
【請求項４５】
機器を構成する機器構成方法において、
第１の機器から記憶装置上のコンテンツへのリンクを構成するステップと、
上記リンクを、第２の機器に保存するステップとを有する機器構成方法。
【請求項４６】
上記リンクを保存するステップは、
上記コンテンツと、該コンテンツを選択するデータとを保存するステップを有することを特徴とする請求項４５記載の機器構成方法。
【請求項４７】
上記リンク、上記コンテンツ又はその両方は、上記第２の機器の初期設定の間に、該第２の機器に保存されることを特徴とする請求項４５記載の機器構成方法。
【請求項４８】
上記リンク、上記コンテンツ又はその両方は、所定の時間間隔で、上記第２の機器に保存されることを特徴とする請求項４５記載の機器構成方法。
【請求項４９】
上記リンク、上記コンテンツ又はその両方は、上記記憶装置から上記第２の機器に無線で送信されることを特徴とする請求項４５記載の機器構成方法。
【請求項５０】
上記第２の機器は、携帯電話機、携帯情報端末又はパーソナルコンピュータからなることを特徴とする請求項４５記載の機器構成方法。
【請求項５１】
コンテンツにアクセスするリンクを有し、該リンクを用いて、該コンテンツにアクセスするようにプログラムされたクライアントモジュールを備えるモバイル機器。
【請求項５２】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項５１記載のモバイル機器。
【請求項５３】
上記クライアントモジュールは、上記コンテンツのコピーを要求することによって、該コンテンツにアクセスするようにプログラムされていることを特徴とする請求項５１記載のモバイル機器。
【請求項５４】
上記クライアントモジュールは、上記モバイル機器に取得されたコンテンツを置換する置換コンテンツを選択するアイコンを、表示するようにプログラムされていることを特徴とする請求項５３記載のモバイル機器。
【請求項５５】
上記置換コンテンツは、上記モバイル機器に取得されたコンテンツのアップグレード、又は該モバイル機器に取得された該コンテンツの異なるバージョンからなることを特徴とする請求項５４記載のモバイル機器。
【請求項５６】
上記クライアントモジュールは、上記リンクを用いて、上記コンテンツを無線で読み出すようにプログラムされていることを特徴とする請求項５１記載のモバイル機器。
【請求項５７】
上記モバイル機器は、携帯電話機、携帯情報端末又はパーソナルコンピュータからなることを特徴とする請求項５１記載のモバイル機器。
【請求項５８】
モバイル機器のコンテンツを管理するコンテンツ管理システムにおいて、
コンテンツを有するコンテンツモジュールと、
上記コンテンツモジュールから、上記コンテンツを上記モバイル機器に転送するようにプログラムされた配信インタフェースとを備えるコンテンツ管理システム。
【請求項５９】
上記配信インタフェースは、上記モバイル機器がアクセス可能なコンテンツまでのリンクを用いて、該コンテンツを、上記コンテンツモジュールから該モバイル機器に転送するようにプログラムされていることを特徴とする請求項５８記載のコンテンツ管理システム。
【請求項６０】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項５８記載のコンテンツ管理システム。
【請求項６１】
取得コンテンツを保存するデータ格納部を更に備える請求項５８記載のコンテンツ管理システム。
【請求項６２】
上記取得コンテンツを置換コンテンツにマッピングする置換モジュールを更に備える請求項６１記載のコンテンツ管理システム。
【請求項６３】
１つ以上のソースからコンテンツを受信するようにプログラムされたインタフェースを更に備える請求項５８記載のコンテンツ管理システム。
【請求項６４】
上記インタフェースは、上記１つ以上のソースから上記モバイル機器に取得されたコンテンツを判定するために、該１つ以上のソースをポーリングするようにプログラムされていることを特徴とする請求項６３記載のコンテンツ管理システム。
【請求項６５】
上記１つ以上のソースを判定するために、上記コンテンツを解析するパーサを更に備える請求項６３記載のコンテンツ管理システム。
【請求項６６】
上記１つ以上のソースは、サードパーティコンテンツプロバイダであることを特徴とする請求項６３記載のコンテンツ管理システム。
【請求項６７】
上記インタフェースは、
上記モバイル機器を、統一資源識別子を用いて、上記１つ以上のソースに接続する接続モジュールを備えることを特徴とする請求項６３記載のコンテンツ管理システム。
【請求項６８】
上記モバイル機器による置換コンテンツの申込みを生成する申込みモジュールを更に備える請求項６３記載のコンテンツ管理システム。
【請求項６９】
上記申込みモジュールは、上記申込みに関連したデータを、上記モバイル機器に送信するようにプログラムされており、該モバイル機器は、該申込みを表示及び選択するようにプログラムされていることを特徴とする請求項６８記載のコンテンツ管理システム。
【請求項７０】
上記申込みモジュールは、１つ以上のエンティティに対する取得履歴から上記申込みを生成するようにプログラムされていることを特徴とする請求項６９記載のコンテンツ管理システム。
【請求項７１】
上記１つ以上のエンティティは、ユーザからなることを特徴とする請求項７０記載のコンテンツ管理システム。
【請求項７２】
上記１つ以上のエンティティは、携帯電話機からなることを特徴とする請求項７０記載のコンテンツ管理システム。
【請求項７３】
コンテンツに関するメタデータを含むメタデータ格納部を更に備える請求項６３記載のコンテンツ管理システム。
【請求項７４】
上記メタデータは、モバイル機器の製造業者、モバイル機器のバージョン、該モバイル機器の動作能力又はこれらの組合せを示す情報を含むことを特徴とする請求項７３記載のコンテンツ管理システム。
【請求項７５】
上記動作能力は、画面サイズ、画素数又はその両方を含むことを特徴とする請求項７４記載のコンテンツ管理システム。
【請求項７６】
上記コンテンツマネージャに接続され、上記コンテンツを管理するようにプログラムされたウェブベースのインタフェースを更に備える請求項６３記載のコンテンツ管理システム。
【請求項７７】
マルチメディアコンテンツデータ格納部と、
ユーザ生成コンテンツデータ格納部と、
アプリケーションデータ格納部とを更に備える請求項６３記載のコンテンツ管理システム。
【請求項７８】
上記モバイル機器は、携帯電話機、携帯情報端末又はパーソナルコンピュータからなることを特徴とする請求項６３記載のコンテンツ管理システム。
【請求項７９】
機器によって用いられるコンテンツを保存するコンテンツ保存方法において、
上記コンテンツを、上記機器がアクセス可能な記憶装置に保存するステップと、
上記コンテンツに自動的にアクセスするリンクを、上記機器に保存するステップとを有するコンテンツ保存方法。
【請求項８０】
上記リンクは、上記コンテンツと、上記記憶装置上の該コンテンツのロケータとに関するメタデータを含むことを特徴とする請求項７９記載のコンテンツ保存方法。
【請求項８１】
上記記憶装置は、上記機器上にあることを特徴とする請求項８０記載のコンテンツ保存方法。
【請求項８２】
上記記憶装置は、上記機器から遠隔にあることを特徴とする請求項８０記載のコンテンツ保存方法。
【請求項８３】
上記コンテンツのロケータは、統一資源識別子からなることを特徴とする請求項８２記載のコンテンツ保存方法。
【請求項８４】
上記リンクを選択するデジタル画像を、上記機器上に表示するステップを更に有する請求項７９記載のコンテンツ保存方法。
【請求項８５】
上記コンテンツは、モバイルアプリケーションプログラム、モバイル呼出音、モバイル壁紙、ビデオデータ、音声データ、デジタル画像、上記機器と異なるモジュールで選択されたリングバックトーン又はこれらの組合せからなることを特徴とする請求項７９記載のコンテンツ保存方法。
【請求項８６】
上記機器は、携帯電話機、携帯情報端末又はパーソナルコンピュータからなることを特徴とする請求項７９記載のコンテンツ保存方法。
【発明の詳細な説明】
【関連出願】
【０００１】
本出願は、米国特許法第１１９条（ｅ）項に基づき、２００７年１月２６日に出願された米国仮特許出願番号６０／８９７，７８９号、発明の名称「コンテンツロッカ、アプリケーション及びコンテンツのバックアップ（CONTENT LOCKER, APPLICATION AND CONTENT BACKUP）」及び２００７年６月２６日に出願された米国仮特許出願番号６０／９３７，３１４号、発明の名称「コンテンツロッカ、アプリケーション及びコンテンツのバックアップ（CONTENT LOCKER, APPLICATION AND CONTENT BACKUP）」の優先権を主張する。なお、これらの出願の全体は、引用により本願に援用される。
【技術分野】
【０００２】
本発明は、コンテンツを電子機器に送信する技術に関する。特に、本発明は、モバイル機器、例えば携帯電話機に対して、コンテンツを復元し（restoring）、コンテンツを更新し（updating）、等価なコンテンツ（equivalent content）を格納し（storing）、及びコンテンツを提供（offering）するシステム及び方法に関する。
【背景技術】
【０００３】
携帯電話機及び他の電子機器に含まれるコンテンツは、毎年アップグレードされるコンテンツ（upgrades）、等価なコンテンツ（equivalents）及びこれらの電子機器のために作成される他のコンテンツによって、常に増加している。携帯電話機は、これらの種類のコンテンツに限定されるものではないが、例えばアドレス帳と、ユーザ生成コンテンツ（user-generated content）、例えばデジタル画像と、サードパーティ（third-party）コンテンツ、例えば着信音、壁紙及び音楽ファイルとを保存する。コンテンツは、携帯電話機が動作していない（deactivated）ときには、容易に復元されない。ユーザにとって、携帯電話機にどのようなコンテンツが保存されているか、特定の携帯電話機のコンテンツの正しいバージョン、更にはそのコンテンツを取得した場所さえ覚えるのは難しい。たとえユーザがこれら全ての情報を見つけることができたとしても、携帯電話機にコンテンツを復元する処理は、今でも時間がかかり、携帯電話機を異常にし、単調な作業である。
【０００４】
また、携帯電話機にコンテンツを復元するときに、ユーザは、コンテンツがアップグレードされていることに気付かない。ユーザが知ることなく、コンテンツプロバイダは、コンテンツの新しいバージョン又は等価で、より人気がある（popular）バージョンを発表しているかもしれない。ユーザは、アップグレードされた、より望ましいコンテンツを取得する機会を逃し、コンテンツプロバイダは、新しいコンテンツの定期購読を販売し、ライセンシングし、又は申し出る（offer）機会を逃してしまう。
【０００５】
ユーザは、新しい携帯電話機又は他の機器をアップグレードするときに、これらと同じ問題に直面する。新しい携帯電話機にはコンテンツの異なるバージョンが必要とされるかもしれないので、古い携帯電話機から新しい携帯電話機にコンテンツを単純に転送するだけでは、新しい携帯電話機は動作しない。
【発明の概要】
【０００６】
本発明に係る、コンテンツをモバイル機器に供給するコンテンツ供給方法は、コンテンツのソース（例えばコンテンツプロバイダ）を判定するステップと、ソースからコンテンツをモバイル機器がアクセス可能な記憶場所、例えばモバイル機器上に送信するステップとを有する。より好ましくは、コンテンツは無線で送信される。モバイル機器は、これらに限定されるものではないが、携帯電話機、携帯情報端末（personal digital assistants）及びパーソナルコンピュータを含む。コンテンツは、これらに限定されるものではないが、モバイルアプリケーションプログラム、携帯電話機の呼出音、携帯電話機の壁紙、ビデオデータ、音声データ、デジタル画像、リングバックトーン又はこれらの組合せを含む。
【０００７】
また、一実施の形態では、コンテンツ供給方法は、記憶場所にあるコンテンツにアクセスする選択可能なリンクをモバイル機器に記憶するステップと、ソースをコンテンツ、モバイル機器、又はその両方に関連付けるデータを格納するステップとを有する。このデータは、どのコンテンツがモバイル機器に取得されたか、またコンテンツを読み出すためにアクセス可能なソース（例えば１つ以上のコンテンツプロバイダ）を判定するために用いられる。このデータは、ソースに対するパス名、例えば、ユニフォームリソースロケータ（Uniform Resource Locator）を含むアドレスと、コンテンツ自身の識別子（identifiers）とを含む。このデータは、ソース及びコンテンツを判定するために解析される。このデータは、好ましくは、モバイル機器から遠隔にある装置に保存されており、モバイル機器がコンテンツを読み出すときに、モバイル機器は、遠隔の装置に連絡し、すなわち、モバイル機器は、ソースと通信して、ソースは、コンテンツをモバイル機器に送信する。
【０００８】
一実施の形態において、ソースは、コンテンツの１つ以上の場所、例えば、サードパーティコンテンツプロバイダ（third-party content providers）に問い合わせることによって決定される。サードパーティコンテンツプロバイダは、コンテンツをモバイル機器に（例えば無線で）送信することによって応答する。一実施の形態においては、単一の集約インタフェース（aggregation interface）は、コンテンツを複数のソースから自動的に読み出すために用いられる。
【０００９】
本発明に係る、機器からコンテンツにアクセスするコンテンツアクセス方法は、記憶装置に保存されているコンテンツのリンクを機器によって選択するステップと、リンクの選択に応じて、機器によってコンテンツを自動的に受信するステップとを有する。記憶装置は、機器から遠隔にある場所にあり、リンクが選択されたとき、コンテンツのコピーは記憶装置から機器へ送信される。
【００１０】
好ましくは、コンテンツは、コンテンツが記憶装置に保存されていないことを判定することによってアクセスされ、記憶装置に受信される。一例として、コンテンツは、ハッシュを用いて記憶装置上にあることが判定される。記憶装置上の各コンテンツのハッシュを有するリストは維持される。所望のコンテンツのハッシュがリストにないと判定されると、コンテンツは記憶装置上になく、コンテンツプロバイダから読み出さなければならない、と判定される。
【００１１】
本発明に係る、第１の機器にコンテンツを提供するコンテンツ提供方法は、１つ以上のエンティティ（entities）に関連した取得履歴（history of acquisitions）を保存するステップと、取得履歴に基づくコンテンツの申込みを、第１の機器上に表示するステップとを有する。１つ以上のエンティティは、ユーザ、モバイル機器、又はその両方に対応する。換言すると、申込みは、特定の携帯電話機、特定のユーザ、又はその両方に取得されたものに基づくことができる。この申込みは、コンテンツの購入、コンテンツの定期購読、コンテンツのライセンシング、コンテンツのアップグレード、コンテンツの置換又はこれらの組合せである。
【００１２】
コンテンツは、取得履歴内のコンテンツを用いて、変換又はサイズ変更することによってその一部が更新される。一実施の形態において、コンテンツを第１の機器に提供するコンテンツ提供方法は、第１の機器に、置換／更新コンテンツを自動的に受信するステップを有する。好ましくは、取得履歴は、コンテンツプロバイダの場所に保存されるが、他の場所に保存されてもよい。
【００１３】
一実施の形態において、コンテンツを第１の機器に提供するコンテンツ提供方法は、１つ以上のエンティティに関連した取得履歴が保存されているコンテンツプロバイダの場所をポーリングするステップと、１つ以上のエンティティに関連した取得履歴が保存されているコンテンツプロバイダの場所から通知を自動的に受信するステップと、１つ以上のエンティティ、又はこれらの組合せによって取得されたコンテンツに関するメタデータを保存するステップとを有する。メタデータは、コンテンツの名前、コンテンツの説明（a description of content）、コンテンツのサイズ（a size of content）、コンテンツのフォーマット（a format of content）、コンテンツの符号化、コンテンツの作成者、又はこれらの組合せを含む。取得履歴はライセンスの使用回数（count of license usages）を含む。
【００１４】
本発明に係る、機器にコンテンツを提供するコンテンツ提供方法は、１つ以上のエンティティに取得されたコンテンツの第１のリストを表示するステップと、第１のリスト内の１つ以上のアイテムを、第１のモバイル機器に送信するステップとを有する。好ましくは、この第１のリストから、１つ以上のアイテムが選択され、機器に保存される。
【００１５】
一実施の形態において、第１のリストは第１のモバイル機器に自動的に送信される。第１のリストが表示され、１つ以上のアイテムがそこから選択され、第１のモバイル機器から遠隔にある場所から第１のモバイル機器に送信される。また、機器にコンテンツを提供するコンテンツ提供方法は、モバイル機器の第２のリストを選択するステップと、１つ以上のアイテムを第２のリスト内のモバイル機器に送信するステップとを有する。第１のリストは、第２のモバイル機器に関連した取得履歴から生成される。
【００１６】
本発明に係る、機器を構成する機器構成方法は、第１の機器から記憶装置上のコンテンツへのリンクを作成するステップと、コンテンツのリンクを第２の機器に保存するステップとを有する。したがって、第２の機器は、第１の機器が利用可能な同じコンテンツにアクセスする。好ましくは、コンテンツのリンクを保存するステップは、コンテンツと、コンテンツを選択するデータとを保存するステップを有する。コンテンツのリンク、コンテンツ又はその両方は、第２の機器の初期設定の間に記憶装置から第２の機器に無線で送信される。あるいは、コンテンツのリンク、コンテンツ又はその両方は、所定の時間間隔で第２の機器に保存される。
【００１７】
本発明に係るモバイル機器は、コンテンツにアクセスするリンクを有し、そのリンクを用いて、好ましくは無線で、コンテンツにアクセスするようにプログラムされたクライアントモジュールを備える。クライアントモジュールは、モバイル機器に取得されたコンテンツを置換する置換コンテンツを選択するアイコンを表示するようにプログラムされている。置換コンテンツは、モバイル機器に取得されたコンテンツのアップグレード又はモバイル機器に取得されたコンテンツの異なるバージョンからなる。
【００１８】
本発明に係る、モバイル機器のコンテンツを管理するコンテンツ管理システムは、コンテンツ及びコンテンツをコンテンツモジュールからモバイル機器に転送するようにプログラムされた配信インタフェースとを備える。配信インタフェースは、モバイル機器がアクセス可能なコンテンツまでのリンクを用いて、コンテンツをコンテンツモジュールからモバイル機器に送信するようにプログラムされている。
【００１９】
また、コンテンツ管理システムは、取得コンテンツのデータ格納部、取得コンテンツを置換コンテンツにマッピングする置換モジュール、及び１つ以上のソースからコンテンツを受信し、１つ以上のソースからモバイル機器に取得されたコンテンツを判定するために、１つ以上のソースをポーリングするようにプログラムされているインタフェースを備える。インタフェースは、モバイル機器を、統一資源識別子（Uniform Resource Indicator：ＵＲＩ）を用いて、１つ以上のソースに接続する接続モジュールを備える。一実施の形態において、コンテンツ管理システムは、コンテンツを解析するパーサを備え、それによって１つ以上のソースを判定する。好ましくは、１つ以上のソースはサードパーティのソースである。
【００２０】
一実施の形態において、コンテンツ管理システムは、モバイル機器による置換コンテンツの申込み（offers）を生成する申込みモジュール（offer module）を備える。申込みモジュールは、置換コンテンツの申込みに関連したデータをモバイル機器に送信するようにプログラムされており、モバイル機器は、その申込みを表示及び選択するようにプログラムされる。また、申込みモジュールは、１つ以上のエンティティ、例えば、ユーザ又は携帯電話機の取得履歴から申込みを生成するようにプログラムされている。
【００２１】
また、好ましくは、コンテンツ管理システムは、コンテンツに関するメタデータを含むメタデータ格納部を備える。メタデータは、モバイル機器の製造業者、モバイル機器のバージョン、モバイル機器の動作能力（operating capabilities）、又はこれらの組合せを示す情報を含む。モバイル機器の動作能力は、画面サイズ、画素数又はその両方を含む。
【００２２】
また、一実施の形態において、コンテンツ管理システムは、コンテンツマネージャに接続され、コンテンツと、マルチメディアコンテンツデータ格納部と、ユーザ生成コンテンツデータ格納部と、アプリケーションデータ格納部とを管理するようにプログラムされたウェブベースのインタフェースを備える。
【図面の簡単な説明】
【００２３】
【図１】本発明の一実施の形態に基づいた携帯電話機、コンテンツを復元するプラットホーム及びコンテンツプロバイダを示す図である。
【図２】本発明の一実施の形態に基づいた携帯電話機、コンテンツを復元するプラットホーム及び複数のコンテンツプロバイダを示す図である。
【図３】本発明の実施の形態に基づく、図１及び図２に示すプラットホームに保存され、コンテンツを検出（locate）及び復元するために用いられるメタデータを示す図である。
【図４】本発明の一実施の形態に基づいて、コンテンツを携帯電話機に復元する処理を示すフローチャートである。
【図５】ユーザが等価なコンテンツをモバイル機器に保存することを可能にする、本発明の一実施の形態に基づいたモバイル機器の表示画面を示す図である。
【図６】ユーザがモバイル機器のコンテンツをアップグレードすることを可能にする、本発明の一実施の形態に基づいたモバイル機器の表示画面を示す図である。
【図７】本発明の一実施の形態に基づいて、等価なコンテンツを取得する処理を示すシーケンス図である。
【図８Ａ】本発明の一実施の形態に基づいて、コンテンツに対するリンクを１つの携帯電話機から他の携帯電話機に転送することを示す図である。
【図８Ｂ】本発明の一実施の形態に基づいて、コンテンツに対するリンクを１つの携帯電話機から他の携帯電話機に転送することを示す図である。
【図９】本発明の一実施の形態に基づいた携帯電話機の表示画面及び異なるコンテンツのアイコン及びコンテンツを取得するための対応リンクを示す図である。
【図１０】本発明の一実施の形態に基づいて、コンテンツを復元／取得する使用（use-case）図である。
【図１１】本発明の一実施の形態に基づいて、コンテンツをバックアップする使用ケース図である。
【図１２】本発明の一実施の形態に基づいて、コンテンツを購入し、コンテンツを転送し、コンテンツを復元するための情報を保存する処理を示す図である。
【図１３】本発明の一実施の形態に基づいて、コンテンツプロバイダに保存されたユーザデータを示す図である。
【図１４】本発明の一実施の形態に基づいて、コンテンツを取得、バックアップ及び復元する構成要素を示す図である。
【図１５】本発明の一実施の形態に基づいて、コンテンツを取得、バックアップ及び復元する構成要素を示す図である。
【図１６】本発明の一実施の形態に基づいて、コンテンツを取得、バックアップ及び復元する構成要素を示す図である。
【図１７】本発明の一実施の形態に基づいて、コンテンツを取得、バックアップ及び復元する構成要素を示す図である。
【図１８】本発明の一実施の形態に基づいて、コンテンツを取得及び復元するシーケンスを示す図である。
【図１９】図１９（Ａ）は、本発明の一実施の形態に基づいて、コンテンツを選択し、選択したコンテンツを１つ以上の携帯電話機に保存するインタフェースを示す図であり、図１９（Ｂ）は、本発明の一実施の形態に基づいて、選択したコンテンツを保存した図１７Ａに示す選択された携帯電話機を示す図である。
【発明を実施するための形態】
【００２４】
本発明の実施の形態は、電子機器、例えば携帯電話機、携帯情報端末、パーソナルコンピュータ等に、コンテンツを復元（restore）、更新（update）及び提供（offer）する技術に関する。
【００２５】
本発明の異なる実施の形態では、コンテンツを電子機器に異なる方法で復元することができる。一実施の形態において、コンテンツへのリンクは、携帯電話機に保存され、このリンクによって、携帯電話機は、１つ以上の遠隔の場所（例えばサードパーティ）に保存されている複数のコンテンツに自動的にアクセスすることができる。このように、コンテンツは、必要なときだけ、アクセスされて、携帯電話機に保存され、したがって、携帯電話機のメモリをより効率的に使うことができる。
【００２６】
本発明の他の実施の形態では、携帯電話機が動作していない（deactivated）ときさせも、定期購読コンテンツ（subscribed content）に継続的にアクセスすることができる。例えば、携帯電話機が動作を停止して（deactivated）から動作を再開した（reactivated）とき、あるいは１つの携帯電話機に対するサービスを他の携帯電話機に移動したときに、ユーザは、シームレスに定期購読コンテンツへのアクセスを復元することができる。
【００２７】
本発明の更に他の実施の形態では、ユーザは、モバイル機器上でコンテンツを置換することができる。一例として、携帯電話機が動作を再開したとき、携帯電話機には、その携帯電話機に以前に保存されていたコンテンツのアップグレードされたコンテンツ又は等価なコンテンツが復元される。したがって、コンテンツプロバイダは、顧客にコンテンツ又はコンテンツの定期購読を販売する機会を増やし、顧客にコンテンツの最新バージョンを得る機会を与える。
【００２８】
一般的に、本発明は、顧客購入データの完全性（integrity）を保証し、携帯電話機（handset）が修理されたときに、既に購入されていたコンテンツを復元し、顧客に、以前に携帯電話機に保存されていたアプリケーションをアップグレードする機会を与え、コンテンツは、携帯電話機に復元されるときにのみ転送されるので、帯域幅を節約し、そして、ユーザは、コンテンツ、アップグレードされたコンテンツ又は等価なコンテンツを新しい携帯電話機に転送することができる。コンテンツは、これらに限定されるものではないが、アドレス帳の連絡データ、ユーザ生成画像及びサードパーティコンテンツプロバイダから購入又は定期購読された録音（sound recordings）、着信音、壁紙、ビデオ、及びコンテンツプロバイダの携帯電話向けのソフトウェア実行環境（Binary Runtime Environment for Wireless、以下、ＢＲＥＷという）携帯電話機販売店（mobile shop）を介して購入されたＢＲＥＷアプリケーションを含む。
【００２９】
図１は、本発明の一実施の形態に基づいたシステムの構成要素を示すハイレベルの図である。このシステムは、中間プラットホーム１１０に接続されるとともに、コンテンツプロバイダ１２０に接続された携帯電話機１０１を備える。携帯電話機１０１は、ユーザ生成コンテンツ及び他のコンテンツの両方（以下、単にコンテンツ１０５という）、例えば着信音、カレンダ、ビデオ画像、音声データ、壁紙等を含んでいる。中間プラットホーム１１０は、コンテンツプロバイダ１２０におけるコンテンツ１０５に対するリンクを含むユーザ記録１１５を保存している。携帯電話機１０１は、コンテンツ１０５を復元する必要があるとき、例えば、携帯電話機１０１が動作を再開させる、又は初期化するとき、中間プラットホーム１１０に通知する。中間プラットホーム１１０は、コンテンツプロバイダ１２０に連絡し、携帯電話機１０１と、コンテンツ１０５へのリンクを用いて、コンテンツ１０５とを識別する。そして、コンテンツプロバイダ１２０は、コンテンツ１０５を携帯電話機１０１に送信し、携帯電話機１０１は、コンテンツ１０５を復元する。
【００３０】
機器設定中に、ユーザは、携帯電話機１０１用のコンテンツを購入又は取得する。購入したときは、ユーザ記録１１５が中間プラットホーム１１０に追加され、コンテンツプロバイダ１２０は、ユーザ（例えば、携帯電話機の電話番号によって識別される）がコンテンツを購入したことを記録する。ライセンス使用回数がこの段階で初期化され、ユーザは、コンテンツ１０５を許可される回数だけ読み出すことができる。中間プラットホーム１１０にアクセスし、そして最終的にはコンテンツプロバイダ１２０にアクセスするアイコンが、ここに述べられるように、携帯電話機１０１に保存される。
【００３１】
特長としては、携帯電話機１０１及び中間プラットホーム１１０は、コンテンツ１０５用の余分な記憶領域を必要とせず、コンテンツ１０５へのリンクのみを保存する。コンテンツは、好ましくは、そのコンテンツが読み出されるコンテンツプロバイダに保存されている。この構成により、コンテンツプロバイダは、コンテンツの経過を保持し、ユーザに、通常コンテンツプロバイダの管理下にある更新されたコンテンツ及び等価なコンテンツが利用可能であることを通知することができる。また、コンテンツプロバイダ１２０は、利用可能なときに、等価なコンテンツ又は更新されたコンテンツを置換することができる。他の実施の形態において、コンテンツ１０５は、中間プラットホーム１１０に保存されており、そこから携帯電話機１０１に送信される。
【００３２】
図１では、携帯電話機１０１及び中間プラットホーム１１０は、単一のコンテンツプロバイダ１２０に接続されているが、携帯電話機１０１は、複数のコンテンツプロバイダから取得され、それによって復元されるコンテンツを含むことができることは、言うまでもない。したがって、図２は、携帯電話機１０１及び中間プラットホーム１１０が共に複数のコンテンツプロバイダ１２０Ａ〜１２０Ｄに接続されたシステムを示しており、複数のコンテンツプロバイダ１２０Ａ〜１２０Ｄの機能は、図１に示すコンテンツプロバイダ１２０と同じである。また、図１は単一のユーザ記録１１５を示しているが、中間プラットホーム１１０は、一般的には複数のユーザ用の複数のユーザ記録を保存していることは、言うまでもない。
【００３３】
好ましくは、中間プラットホーム１１０は、集約装置（aggregator）１４０を介して複数のコンテンツプロバイダ１２０Ａ〜１２０Ｄに接続されており、集約装置１４０は、中間プラットホーム１１０からコンテンツの要求を受信し、その要求を、複数のコンテンツプロバイダ１２０Ａ〜１２０Ｄのうちの求めるコンテンツを含む適切な１つにルーティングする。あるいは、集約装置１４０は、複数のコンテンツプロバイダ１２０Ａ〜１２０Ｄの全てに問い合わせ、求めるコンテンツを保管している１つのコンテンツプロバイダが、そのコンテンツを携帯電話機１０１に送信する。一実施の形態においては、集約装置１４０は、中間プラットホーム１１０の一部であり、他の実施の形態においては、集約装置１４０と中間プラットホーム１１０は、独立した構成要素である。
【００３４】
図１及び図２は、構成要素を直接接続する（例えば、携帯電話機１０１を中間プラットホーム１１０に直接接続する）回線（line）を示しているが、構成要素は、好ましくは、無線ネットワークを介して、広域ネットワーク、例えばインターネットを介して、ローカルエリアネットワークを介して、又はこれらの組合せによって接続されることは、言うまでもない。
【００３５】
図３は、本発明の一実施の形態に基づいたユーザ記録１１５を示す図である。ユーザ記録１１５は、携帯電話機の識別子（電話番号１５５５５５５１２１２）２０１と、コンテンツプロバイダのユニフォームリソースロケータ（ＵＲＬ）（contentprovider.com）２０３と、コンテンツの名前（テトリス）２０５と、コンテンツの分類子（ゲーム）２０７と、コンテンツのバージョンナンバ（４．０）２０９と、コンテンツのサイズ（５００ｋＢ）２１１と、コンテンツをモバイル機器に表示するフォーマット（７２０ｐ、１０８０ｉ）２１３と、コンテンツの符号化方式（ＪＰＥＧ）２１５と、コンテンツの作成者（ゲームメーカ）２１７と、携帯電話機の識別子（携帯電話機の販売業者１）２１９と、携帯電話機のモデル（３．１）２２１とを含んでいる。当業者には、ユーザ記録１１５が、他のメタデータ、図３に示すメタデータ２００のサブセット、あるいはコンテンツを識別し、コンテンツを携帯電話機１０１に送信するためにコンテンツプロバイダ１２０と通信するのに適したメタデータの組合せを含むことができることは、明らかである。動作において、中間プラットホーム１１０は、ユーザ記録１１５を解析して、携帯電話機１０１に保存するためにコンテンツが読み出されるコンテンツプロバイダのソース（例えばＵＲＬ２０３）を判定する。
【００３６】
上述のように、一実施の形態において、図２の集約装置１４０は、携帯電話機１０１に復元するコンテンツを有しているかを判定するために、コンテンツプロバイダ１２０Ａ〜１２０Ｄの場所をポーリングする。図４は、各コンテンツプロバイダ１２０Ａ〜１２０Ｄの場所が、ポーリングに応じて行う処理２５０を示している。コンテンツプロバイダ１２０Ａの場所を例示的に説明すると、まず、ステップ２５１において、コンテンツプロバイダ１２０Ａは、コンテンツを携帯電話機１０１に復元する要求を受信する。好ましくは、その要求は、携帯電話機１０１の電話番号、あるいは携帯電話機１０１の他の識別子又は携帯電話機のユーザの識別子を含む。ステップ２５３において、コンテンツプロバイダ１２０Ａは、携帯電話機１０１に取得されていた全てのコンテンツを調べる。ステップ２５５において、コンテンツプロバイダ１２０Ａは、取得コンテンツに対してアップグレードされたコンテンツが利用可能かを判定し、利用可能な場合、アップグレードされたコンテンツに置換する。ステップ２５７において、コンテンツプロバイダ１２０Ａは、コンテンツ（利用可能な場合、アップグレードされたコンテンツを含む）を携帯電話機１０１に送信する。処理はステップ２５９で終了する。新しいコンテンツは、サイズが変更され、再フォーマットされ、あるいは一方、携帯電話機１０１上で動作し、適切に表示されることを保証するように変更できることは、言うまでもない。
【００３７】
後述する他の実施の形態において、以前に取得されていたコンテンツも、アップグレードされたコンテンツも利用できない場合、ステップ２５７において、等価なコンテンツが携帯電話機１０１に送信される。更に他の実施の形態において、携帯電話機のユーザは、アップグレード又は等価なコンテンツを取得する選択肢が与えられる。図５は、以前に携帯電話機１０１に取得されていたコンテンツに等価なコンテンツ（テトリス３．１）及び等価なコンテンツを取得するための選択可能なリンク１９０を提供する携帯電話機１０１の表示画面を示す図である。
【００３８】
図６は、ユーザが同意する（accepting）又は同意しない（declining）かの選択肢を有するアップグレードのリストを提供する携帯電話機１０１の表示画面を示す図である。
【００３９】
図７は、等価な（又はアップグレードされた）コンテンツが携帯電話機１０１に送信されるときに更新される中間プラットホーム１１０上のユーザデータ（例えばメタデータ）を示すシーケンス図３００である。好ましくは、ユーザに対して、ユーザが等価なコンテンツを選択することができるリストが、携帯電話機１０１上に表示される。等価なコンテンツが選択された後、ステップ３０１において、携帯電話機１０１は、特定の等価なコンテンツの要求をコンテンツプロバイダ１２０に送信する。ステップ３０３において、コンテンツプロバイダ１２０は、等価なコンテンツを携帯電話機１０１に送信する。ステップ３０５において、コンテンツプロバイダ１２０は、携帯電話機１０１が今は等価なコンテンツを取得している（例えば、以前に取得されたコンテンツは置換されている）ことを反映した情報（例えばメタデータ）を、中間プラットホーム１１０に送信する。そして、ユーザ記録（図３）は、等価なコンテンツが取得されたことを反映するように、更新される。
【００４０】
このシステムは、モバイル機器と互換性を持つように、等価なコンテンツ又は他の置換コンテンツが選択されることを保証する必要がある。したがって、等価なコンテンツは、そのコンテンツのバイナリ、画像サイズ及びデバイスフォームファクタ（device form factor）、及びそのコンテンツの符号化フォーマットがモバイル機器に適合するように選択される必要がある。この目的で、コンテンツプロバイダ（又は中間プラットホーム）は、１つの機器に適したコンテンツを他の機器に適したコンテンツにマッピングするマッピングデータベース（mapping database）を保持している。
【００４１】
好ましくは、購入、定期購読及び他の取得の履歴は、携帯電話機１０１用に生成される。後述するように、この取得履歴は、携帯電話機１０１が取得していたコンテンツのアップグレード又は等価なコンテンツを判定するために用いられる。この取得履歴に基づき、携帯電話機１０１のユーザは、以前に購入したコンテンツと同じ又は関連したコンテンツが提供されるだけではなく、携帯電話機１０１に以前に取得されていたコンテンツに対するアップグレードされたコンテンツ及び等価なコンテンツが提供される。
【００４２】
本発明の実施の形態は、携帯電話機にコンテンツを復元するだけでなく、１つの携帯電話機から他の携帯電話機にコンテンツを移動する（migrate）ために用いることができる。したがって、例えば、ユーザは、携帯電話機をアップグレードし、古い携帯電話機から新しい携帯電話機にコンテンツを転送することができる。図８Ａは、中間プラットホーム１１０に接続された携帯電話機１０１を示しており、中間プラットホーム１１０は、コンテンツプロバイダ１２０に接続されている。図８Ｂは、中間プラットホーム１１０及びコンテンツプロバイダ１２０に接続された、携帯電話機１０１のアップグレードである携帯電話機３５０を示す図である。一実施の形態において、携帯電話機３５０は、最初に起動されたときに、中間プラットホーム１１０と自動的に通信する。上述のように、中間プラットホーム１１０は、携帯電話機３５０が携帯電話機１０１のアップグレードであることを認識して、携帯電話機１０１に以前に取得されていたコンテンツを携帯電話機３５０に「復元する」処理を実行するようにプログラムされている。この処理は、例えば、携帯電話機３５０には携帯電話機１０１と同じ電話番号が付与されることによって、行われる。あるいは、上述のように、携帯電話機３５０のユーザが中間プラットホーム１１０にユーザ自身を識別させて、コンテンツの「復元」を起動する。
【００４３】
更に他の実施の形態において、携帯電話機は、コンテンツを効率的に保存するようにプログラムされている。一実施の形態においては、コンテンツのリンクを遠隔のプラットホーム（例えば図１の中間プラットホーム１１０）に保存するのではなく、携帯電話機自体にコンテンツのリンクを保存する。好ましくは、コンテンツは、携帯電話機に表示された１つ以上のアイコンを用いてアクセスされる。図９は、本発明の一実施の形態に基づいた携帯電話機４００を示す図である。携帯電話機４００は、アイコン（テトリス）４０１と、アイコン（チェスゲーム）４０２と、アイコン（列車時刻表）４０３とを示す表示画面４０５を備える。各アイコン４０１〜４０３は、関連したリンク（associated link）４０１Ａ〜４０３Ａを有し、アイコン４０１〜４０３のうちの１つが選択されたとき、その関連したリンクがアクセスされ、それによって、携帯電話機４００を、選択されたコンテンツに関連したコンテンツプロバイダ（例えばサードパーティコンテンツプロバイダ）に接続して、携帯電話機４００にコンテンツをダウンロードするようにコンテンツプロバイダを起動する。
【００４４】
一例として、アイコン４０１に関連したリンク４０１Ａは、コンテンツプロバイダのウェブアドレス（contentprovider.com）と、読み出すコンテンツの名前（テトリス）と、コンテンツのバージョン（４．０）と、携帯電話機の電話番号（１５５５５５５１２１２）とを含むＵＲＬ「contentprovider.com/tertris/4.0/15555551212」である。コンテンツプロバイダは、接続されたときに、このＵＲＬを解析して、携帯電話機４００にどのようなコンテンツを保存すべきかをを判定し、そして、携帯電話機４００の電話番号を用いて、コンテンツを携帯電話機４００に送信する。好ましくは、コンテンツが携帯電話機４００で最早使用されない（例えば、アプリケーションが閉じられた）場合、そのコンテンツは、携帯電話機４００から削除される。このように、携帯電話機４００は、アクセスした全てのコンテンツを持続的に保持するというわけではないので、その利用可能なメモリよりも大きなコンテンツにアクセスすることができる。
【００４５】
他の実施の形態において、一旦コンテンツがコンテンツプロバイダから読み出されると、携帯電話機４００と中間記憶場所（intermediate storage location）の両方に保存される。このように、コンテンツ（使用した後に、携帯電話機から削除できるコンテンツ）の今後の読出は、プロキシサーバとして機能する中間記憶場所から行われる。この実施の形態において、リンク４０１Ａは、中間記憶場所を参照するように更新される。
【００４６】
一実施の形態において、コンテンツは、使用された後に、携帯電話機から自動的に削除されない。その代わりに、コンテンツは、手動で削除されて、今後の使用のために携帯電話機に残る。再び、アイコン４０１及びその関連したリンクの例を用いて説明すると、アイコン４０１が選択されたとき、携帯電話機４００は、関連コンテンツが携帯電話機４００で利用可能か否かまず判定するように、プログラムされている。好ましくは、携帯電話機４００は、コンテンツに関するメタデータの一部として、コンテンツのハッシュを保存している。携帯電話機４００は、このハッシュを、携帯電話機４００に保存されている全ての他のコンテンツのハッシュと比較する。携帯電話機４００がコンテンツを含んでいないと判定した場合、上述のように、コンテンツをコンテンツプロバイダから読み出す。あるいは、コンテンツが中間プラットホームに保存されており、中間プラットホームは、同様に、利用可能なコンテンツを判定するハッシュを保存及び利用する。
【００４７】
このアプリケーションにおいて説明した実施の形態の機能は、他の実施の形態においても用いることができることは、言うまでもない。例えば、リンク４０１Ａは、サードパーティコンテンツプロバイダのアドレス（ＵＲＬ２０３）を含むメタデータ２００と同様のメタデータを含むことができる。同様に、携帯電話機を更新又は変更するときに、アイコン４０１〜４０３及び関連したリンク４０１Ａ〜４０３Ａは、全て新しい携帯電話機に転送することができる。これは、新しい携帯電話機の初期設定中に行うことができる。
【００４８】
使用ケース図（use-case diagram）
図１０、図１１は、本発明の実施の形態に基づいて、コンテンツをバックアップ及び復元するモデルを示す使用ケース図５００、６００である。このアプリケーションにおいて示される使用ケース図５００、６００は、周知のラベル「使用（uses）」、「拡張（extends）」及び「含む（includes）」を用いる。図をより見やすくするために、「含む（includes）」を用いる場合には、ラベルを付けていない。
【００４９】
図１０に示すように、モバイル機器は、ケース５０１においてアプリケーションを定期購読し、ケース５０２においてアプリケーションを購入し、ケース５０３においてアプリケーションの定期購読を停止し、ケース５０４においてアプリケーションを削除し、ケース５０５において初めて「携帯電話機販売店（mobile shop）」にアクセスし、ケース５０７において機器復元を実行することができる。ケース５０１〜５０４の全ては、ケース５２１において、ユーザアプリケーション状態データ格納部（user application status datastore）を更新するために拡張することができる。また、機器復元を実行する場合、ケース５２２においてアプリケーションをモバイル機器に配信し、ケース５２３において等価なコンテンツをモバイル機器に配信し、ケース５２５においてユーザ生成（ＵＧ）コンテンツをモバイル機器に配信し、ケース５２７においてユーザアプリケーション状態データ格納部を問い合わせる。ケース５０５における初めて「携帯電話機販売店」にアクセスする場合は、システムは、ケース５０７において、機器復元を実行することもできる。
【００５０】
図１０に示すように、アプリケーション又はコンテンツの購入又は定期購読は、バックアップシステムのデータ格納部（backup system datastore）に報告されて、保持される。復元が開始されたときに、ここに述べられるように、定期購読アプリケーション（subscribed application）、アプリケーション設定（application setting）、購入マルチメディアコンテンツ（purchased multimedia content）及びユーザ生成コンテンツは、モバイル機器に復元される。
【００５１】
モバイル機器復元の一般的な（popular）トリガの１つは、携帯電話機販売店でのモバイル機器の初期化（on-device mobile shop）である。携帯電話機販売店のアプリケーションを、モバイル機器が携帯電話機販売店で初めて起動されたときに、復元処理を起動するように構成することができる。あるいは、スタブアプリケーション（stub application）を、モバイル機器にプリロードすることができる。スタブアプリケーションは、携帯電話機が起動され、それが供給されたときに、直ちに起動して、アプリケーション及び購入コンテンツを復元するようにユーザに促す。
【００５２】
所望のビジネスロジック（business logic）は、クライアントで実行することができ、アプリケーション又はコンテンツ固有の規則が適用され、適切なユーザインタフェースがユーザに表示される。これらの規則及びユーザインタフェースの具体例には、定期購読ベースのアプリケーションの自動無料ダウンロード及びインストール、アプリケーション及びコンテンツのダウンロード毎の支払いを促す割引料金「再購入（repurchases）」、携帯電話会社が決定した数（operator-determined number）の、以前に購入された着信音の無料ダウンロード、特定の以前に購入された着信音の特別割引料金、以前にダウンロードされたが、削除されたアプリケーションに関する注意（reminder）、以前に開始されたが、その後キャンセルされたアプリケーションの定期購読を継続する申込み（offers）、及びユーザがどのようなコンテンツを以前持っていたか詳述した簡単な注意（又は推奨される他のアプリケーション）が含まれる。
【００５３】
図１１は、アプリケーション及びコンテンツをバックアップ及び復元するハイレベルの使用ケース図６００である。使用ケース図６００に示すように、クライアントは、ケース６０１において携帯電話機を復元し、ケース６０３においてアプリケーションをバックアップすることができる。携帯電話機は、ケース６０５において標準データ（standard data）を復元し、ケース６１０においてユーザ生成コンテンツを復元し、ケース６２０においてプレミアムコンテンツ（premium content）を復元し、ケース６４０においてアプリケーションを復元することによって、復元することができる。ケース６１０におけるユーザ生成コンテンツの復元は、ケース６１１においてユーザ生成コンテンツを携帯電話機に配信し、次に、携帯電話機が、ケース６１３において画像変換、ケース６１４においてビデオファイル変換、ケース６１５において音声ファイル変換を実行することによって、行われる。
【００５４】
ケース６２０におけるプレミアムコンテンツの復元は、ケース６２１において購入プレミアムコンテンツリストを得て、ケース６２３においてプレミアムコンテンツを携帯電話機に配信し、ケース６３０においてアプリケーション及びコンテンツの特別再購入（specific repurchase）ユーザインタフェースを表示することによって、行われる。ケース６２３におけるプレミアムコンテンツの携帯電話機への配信は、ケース６２５において等価なプレミアムコンテンツを調べ、ケース６２７においてプレミアムコンテンツを携帯電話機に配信することによって、行われる。ケース６２７におけるプレミアムコンテンツの携帯電話機への配信は、ケース６２９においてコンテンツ配信方針（content delivery policy）を確認することによって、行われる。
【００５５】
ケース６４０におけるアプリケーションの復元は、ケース６３０においてアプリケーション及びコンテンツの特別再購入ユーザインタフェースを表示し、ケース６４１において購入アプリケーションのリストを得て、ケース６４５において定期購読アプリケーションのリストを得て、ケース６５０においてアプリケーションを携帯電話機に配信することによって、行われる。ケース６４１における購入アプリケーションのリストの取得と、ケース６４５における定期購読アプリケーションのリストの取得の両方は、ケース６４３においてアプリケーション状態データベース（application state database）に問い合わせることによって、拡張される。
【００５６】
ケース６５０におけるアプリケーションの携帯電話機への配信は、ケース６５１において等価なアプリケーションを調べ、ケース６５３においてアプリケーション配信方針を確認し、ケース６５５においてアプリケーション状態データベースを更新することによって、行われる。
【００５７】
ケース６０３におけるアプリケーションのバックアップは、ケース６６０において購入アプリケーションを登録し、ケース６６５において定期購読アプリケーションを登録し、ケース６７０においてマルチメディアコンテンツをバックアップすることによって、行われる。ケース６６０における購入アプリケーションの登録と、ケース６６５における定期購読アプリケーションの登録とは、ケース６５５においてアプリケーション状態データベースを更新することによって、行われる。ケース６７０におけるマルチメディアコンテンツのバックアップは、ケース６７１においてマルチメディアコンテンツの購入を登録することによって、行われ、このマルチメディアコンテンツの購入を登録することは、ケース６７３においてマルチメディアコンテンツ状態データベースを更新することによって拡張される。
【００５８】
図１２は、本発明の一実施の形態に基づいて、コンテンツを携帯電話機に取得する処理（例えば購入、ライセンス等の処理）６８０を示す図である。図１及び図１２に示すように、携帯電話機にコンテンツを取得する処理は、ステップ６８１において開始し、ステップ６８２において、コンテンツが要求される。ステップ６８３において、コンテンツが、コンテンツプロバイダ１２０から携帯電話機１０１に転送される。ステップ６８４において、ユーザ記録１１５が、中間プラットホーム１１０に保存される。ステップ６８５において、コンテンツプロバイダ１２０は、後に携帯電話機１０１を復元するのに用いられる取得を（携帯電話機１０１の他の取得とともに）記録する。一実施の形態において、取得は、例えば図１３に示すように、取得表（acquisition table）に記録される。処理は、ステップ６８６で終了する。
【００５９】
図１３は、本発明の一実施の形態に基づいて、コンテンツプロバイダ１２０で保持される「取得表」６９０を示す図である。取得表６９０は、携帯電話機１０１のユーザの過去の取得の履歴を含む。個々の購入（individual purchases）は、取得表６９０の個々の記録に保存される。コンテンツプロバイダ１２０が後にポーリングされたときに、取得表６９０は、コンテンツプロバイダ１２０がどのようなコンテンツを携帯電話機１０１に供給したのか、したがって、どのようなコンテンツ（又は等価なコンテンツ、又はアップグレードされたコンテンツ）が携帯電話機１０１に復元されるのかを判定するために、用いられる。
【００６０】
取得表６９０は、行（rows）６９１〜６９４を有する。行（「記録」ともいう）６９１は、特に、携帯電話機１０１を識別するために用いられる。記録６９１は、携帯電話機１０１の電話番号（１５５５５５５１２１２）６９１Ａと、携帯電話機に関連した名前（例えば所有者）（「Joe Smith」）６９１Ｂと、携帯電話機に関連したインターネットアドレス（「Address@domain.com」）６９１Ｃとを含んでいる。電話番号６９１Ａ、インターネットアドレス６９１Ｃ又はその両方は、本発明に基づき、コンテンツを携帯電話機１０１に送信するために用いられる。
【００６１】
記録６９２〜６９４の全ては、以前に取得されたコンテンツに関する情報を含んでいる。例えば、記録６９２は、携帯電話機１０１に取得されたゲーム（６９２Ａ）がテトリスであり、そのバージョン（６９２Ｂ）が３．０であり、携帯電話機のブランド（６９２Ｃ）が「Phonemakerl」であることを示している。したがって、例えば、テトリス３．０が携帯電話機１０１に購入されたとき、記録６９２が取得表６９０に追加されている。同様な方法により、記録６９３は、取得されたゲーム（６９３Ａ）がチェスゲームであり、バージョン（６９３Ｂ）が１．０であり、携帯電話機のブランド（６９３Ｃ）が「Phonemakerl」であることを示し、記録６９４は、取得されたアプリケーション（６９４Ａ）が「列車時刻表」であり、バージョン（６９４Ｂ）が３．０であり、携帯電話機のブランド（６９４Ｃ）が「Phonemakerl」であることを示している。
【００６２】
取得表６９０は一例であることは、言うまでもない。当業者にとって、本発明に基づき、他の情報を含む取得表を用いることができることは明らかである。
【００６３】
ハードウェア構成要素
図１４〜図１７は、本発明の実施の形態を実施するために用いられる構成要素を示す図である。これらの構成要素の幾つかについて、以下に説明する。
【００６４】
バックアップクライアント
バックアップクライアントは、モバイル機器上にプリロードされており、アプリケーション及びコンテンツのバックアップ及び復元システムに必要とされるクライアント側のビジネスロジックを実行するようにプログラムされている。クライアントの主要な機能は、ユーザインタフェースをユーザに表示し、ユーザがコンテンツをモバイル機器上でバックアップすることができるとともに、機器移行（device migration）又は新しいモバイル機器の場合、新しいモバイル機器にコンテンツを読み込むことができるようにするものである。
【００６５】
コンテンツ配信インタフェース
コンテンツ配信インタフェースは、サーバ側のインタフェースであり、サーバ側のデータベースからアプリケーション及びプレミアムコンテンツを読み出すようにプログラムされている。好ましくは、コンテンツ配信インタフェースには、簡単なプロトコルによって意符号化されたＨＴＴＰが用いられる。また、サーバ側のインタフェースは、不透明なトークン（opaque tokens）、例えばアプリケーション／マルチメディア購入及び復元マネージャ（Application/Multimedia Purchase and Restore Manager）を用いることができる。好ましくは、アプリケーション／マルチメディア購入及び復元マネージャのインタフェースは、また、メタデータを解析して、コンテンツのソースを判定するするようにプログラムされている。
【００６６】
アプリケーション／マルチメディア購入及び復元マネージャ
アプリケーション／マルチメディア購入及び復元マネージャは、アプリケーション課金システム（application billing system）とインタフェースして、どのアプリケーションをユーザが購入、定期購読又はその両方を行ったのか、どのような等価なアプリケーションが所定の携帯電話機に適しているか、そのアプリケーションをバックアップクライアントにプッシュする機構を判定する。好ましくは、アプリケーション／マルチメディア購入及び復元マネージャは、ユーザ購入履歴からの新しいコンテンツを申し込む（offer）ためのデータを生成し、これらの申込みをバックアップクライアントに送信する。好ましくは、アプリケーション／マルチメディア購入及び復元マネージャは、携帯電話機と、無線プロトコル、例えば無線アプリケーションプロトコル（Wireless Application Protocol、以下、ＷＡＰという）を用いて通信する。
【００６７】
等価なアプリケーションマッピングデータ格納部（Equivalent Application Mapping Datastore）
現在利用可能なデータ格納部の拡張バージョンは、どのアプリケーションが既存のアプリケーションに優先するか、どのアプリケーションバイナリが所定のモバイル機器に適しているかを示す。好ましくは、マッピングデータベースは、コンテンツプロバイダがアプリケーション／コンテンツカタログ（application/content catalog）に含まれるコンテンツを送信したときに、コンテンツプロバイダからのエントリ（entry）が書き込まれるとともに、新しいプラットホームにアプリケーションの新しいバージョンを供給したときに、更新することができる。
【００６８】
「等価な」マッピングデータ格納部（"Equivalent" Mapping Datastores）
これらのデータベースは、特定の１つのコンテンツ（例えば「Who Let the Dogs Out」着信音）を、多数のプラットホーム固有のフォーマット（platform-specific formats）にマッピングする。マッピングデータ格納部は、１つのコンテンツのどのインスタンス（instance of a piece of content）が所定のプラットホームに適しているかを報告するポータビリティインタフェース（portability interface）によって利用される。好ましくは、１つのコンテンツが所定のプラットホームで利用できない場合、マッピングデータ格納部は、代わりのコンテンツのインスタンスを、それが適切な場合、推奨する。
【００６９】
ユーザ生成コンテンツ及びアプリケーション設定データ格納部（User Generated Content and Application Settings Datastore）
コンテンツ及びアプリケーションプロバイダは、クライアントがアプリケーション又はプレミアムコンテンツのモバイル機器に適したバージョンを読み出すことができる情報を含むマッピング及び等価なデータベースを供給及び維持する。ユーザ生成コンテンツ及びアプリケーション設定データ格納部は、アプリケーション又はプレミアムコンテンツのインスタンスをダウンロードする前の復元時間（restore time）に問い合わせられる。
【００７０】
プレミアムコンテンツポータビリティインタフェース（Premium Content Portability Interface）
プレミアムコンテンツポータビリティインタフェースは、特定のインタフェースのサードパーティによって実行（implementation）されるものであり、この特定のインタフェースによって、同期プラットホーム（synchronization platform）は、どのサードパーティのコンテンツを所定のユーザが購入したか、そのコンテンツに関するメタデータ（例えば着信音のタイトル及び説明）が問題となっているか、どの等価なコンテンツをモバイル機器に供給しなければならないか、及び同期プラットホームがサードパーティからコンテンツを読み出すためにアクセス可能なＵＲＬを判定することができる。
【００７１】
同期サーバプラットホームの構成要素（Synchronization Server Platform Component）
同期サーバは、バックアップクライアントから復元時間に連絡されたときに、各サードパーティコンテンツプロバイダに接続し、そのコンテンツポータビリティインタフェース（content portability interface）に問い合わせて、サードパーティコンテンツプロバイダに属するどのコンテンツが携帯電話機に復元されるべきかを判定する。適切なコンテンツが同じインタフェースを介して読み出されて、バックアップクライアントに供給され、バックアップクライアントは、適切なコンテンツを携帯電話機インストールして、復元処理を完了する。
【００７２】
同期サーバは、標準インタフェースをウェブサイト（例えば携帯電話会社の顧客向けウェブサイト）に供給し、この標準インタフェースにより、ウェブサイトは、ユーザのコンテンツに関連した情報及び動作可能インタフェース（actionable interface）を提供することができる。
【００７３】
サードパーティマッピングインタフェース（Third-Party Mapping Interface）
サードパーティマッピングインタフェースの層は、サードパーティコンテンツ供給業者（third-party content supplier）のそれぞれに接続し、それらのインタフェースを用いて、本発明に係るビジネスロジックを実行するパイプ（conduit）である。また、この層は、どのようなコンテンツが特定のユーザ又は携帯電話機に供給されたかを判定するために、コンテンツプロバイダをポーリングすることができる。
【００７４】
ユーザ購入履歴ディレクトリ（User Purchase History Directory）
コンテンツプロバイダ購入履歴データベース（content provider purchase history databases）は、新しいモバイル機器に復元されるときに、ユーザに対して提案する（offer）ことができるアプリケーションを判定する間に、サーバ側の構成要素による問合によって、データが読み込まれる。
【００７５】
図１４は、本発明の一実施の形態に基づいたバックアップ及び復元システム７００の構成を示すブロック図である。バックアップ及び復元システム７００により、携帯電話会社又は元の機器製造業者（ＯＤＭ）は、アプリケーション及びマルチメディアコンテンツ、及びそれらの配信システムの制御を保守することができ、一方、何を（ユーザ生成コンテンツと共に）モバイル機器にインストールするかの詳細を処理することを、同期サーバに依存する。バックアップ及び復元システム７００は、同期サーバプラットホーム７２０に接続されたモバイル機器（例えば携帯電話機）７０５を備える。モバイル機器７０５は、バックアップクライアント７０９と、アプリケーションデータ格納部７０７と、マルチメディアコンテンツデータ格納部７１１とを備える。同期サーバプラットホーム７２０は、コンテンツ配信インタフェース７２１と、アプリケーション／マルチメディア購入及び復元マネージャ７２３と、ユーザ購入履歴データ格納装置７３０と、マルチメディアコンテンツ／アプリケーションマッピングデータ格納装置７４０と、ユーザ生成コンテンツ及びアプリケーション設定データ格納部７５１と、マルチメディアコンテンツデータ格納部７５３と、アプリケーションデータ格納部７５５と、同期サーバプラットホーム構成要素７６０とを備える。
【００７６】
動作において、モバイル機器７０５にコンテンツを復元するときに、バックアップクライアント７０９は、データを復元する要求をコンテンツ配信インタフェース７２１に送信する。アプリケーション／マルチメディア購入及び復元マネージャ７２３は、ユーザ購入履歴データ格納装置（データベース）７３０に問い合わせて、ユーザが以前に何を定期購読したか（定期購読アプリケーションデータ格納部７３１を用いて）、又は何を購入したかを（購入アプリケーションデータ格納部７３３及び購入マルチメディアコンテンツデータ格納部７３５を用いて）を判定する。また、アプリケーション／マルチメディア購入及び復元マネージャ７２３は、マルチメディアコンテンツ／アプリケーションマッピングデータ格納装置７４０に問い合わせて、等価なコンテンツを判定し、また、適用できる場合、新しい申込みを生成する。コンテンツ配信インタフェース７２１は、アップグレードされたコンテンツ、更新されたコンテンツ、等価なコンテンツ、及びもしあれば、新しい申込みを含む復元するコンテンツのリストによって、モバイル機器７０５に応答する。バックアップクライアント７０９は、復元するコンテンツのリストによって応答する。同期サーバプラットホーム７２０は、（マルチメディアコンテンツデータ格納部７５３からの）マルチメディアコンテンツ及び（アプリケーションデータ格納部７５５からの）アプリケーションだけではなく、ユーザ生成コンテンツ及び（コンテンツが携帯電話機で使用できるようにフォーマットされることを保証する）アプリケーション設定によって、応答する。
【００７７】
好ましくは、コンテンツ配信インタフェース７２１とバックアップクライアントとは、ＨＴＴＰを用いて通信する。なお、他のプロトコル、例えばＨＴＴＰＳ（HTTP Secure）及びセキュアソケットレイヤ（Secure Sockets Layer、以下、ＳＳＬという）を用いることができることは、言うまでもない。
【００７８】
図１５〜図１７は、本発明の他の実施の形態に基づいたバックアップ及び復元システム８００、９００、１０００の構成を示すブロック図である。これらの図１４〜１７において、同じ構成要素には同じ符号を付している。バックアップ及び復元システム８００、９００、１０００は、携帯電話会社及びサードパーティコンテンツプロバイダ間のコンテンツを異なるレベルで制御する。
【００７９】
図１５に示すバックアップ及び復元システム８００は、同期サーバプラットホーム８５０及びサードパーティコンテンツ／アプリケーションカタログ（third-party content/application catalog）構成要素８１０に接続されたモバイル機器７０５を備える。好ましくは、サードパーティコンテンツ／アプリケーションカタログ構成要素８１０は、図１に示す中間プラットホーム１１０と同様に機能する。バックアップ及び復元システム８００において、携帯電話会社又は元の機器製造業者は、アプリケーション及びマルチメディアコンテンツ、及びそれらの配信システムの制御を保守することができ、一方、何をモバイル機器７０５にインストールするかの制御を、同期サーバプラットホーム構成要素８５１に依存する。同期サーバプラットホーム８５０は、アプリケーション／マルチメディア復元マネージャ８５５と、同期サーバプラットホーム構成要素８５１と、ユーザ購入履歴データ格納装置７３０と、ユーザ生成コンテンツデータ格納部８６０とを備える。
【００８０】
サードパーティコンテンツ／アプリケーションカタログ構成要素８１０は、コンテンツ配信インタフェース７２１と、アプリケーションデータ格納部７５５と、マルチメディアコンテンツデータ格納部７５３と、「等価なアプリケーション」マッピングデータ格納部７４１と、「等価なマルチメディアコンテンツ」マッピングデータ格納部７４３と、サードパーティマッピングインタフェース（third-party mapping interface）８４５とを備える。
【００８１】
図１５に示すように、バックアップクライアント７０９は、好ましくはＨＴＴＰインタフェースを用いて、アプリケーション／マルチメディア復元マネージャ８５５及びコンテンツ配信インタフェース７２１に接続される。同期サーバプラットホーム８５０は、また、好ましくはＨＴＴＰインタフェースを用いて、サードパーティマッピングインタフェース８４５に接続される。この実施の形態において、サードパーティは、等価なマッピング情報を制御する。
【００８２】
動作において、モバイル機器７０５は、上述のように、コンテンツ配信インタフェース７２１と通信し、コンテンツ配信インタフェース７２１は、コンテンツを要求するのに用いられるＵＲＬによって、モバイル機器７０５を認識する。サードパーティコンテンツ／アプリケーションカタログ構成要素８１０は、アプリケーション及びマルチメディアを（アプリケーションデータ格納部７５５及びマルチメディアコンテンツデータ格納部７５３に）保存しており、それらから、コンテンツに対する幾つかの要求を充足することができる。要求コンテンツがアプリケーションデータ格納部７５５及びマルチメディアコンテンツデータ格納部７５３にないときは、サードパーティコンテンツ／アプリケーションカタログ構成要素８１０は、マッピングデータ格納部７４１、７４３を用いて、等価なコンテンツを判定し、そして、サードパーティマッピングインタフェース８４５を用いて、同期サーバプラットホーム８５０と通信する。同期サーバプラットホーム８５０は、上述のように、要求コンテンツ又はその等価なコンテンツをモバイル機器７０５に送信することによって、応答する。
【００８３】
図１６は、本発明の他の実施の形態に基づいて、コンテンツをバックアップするバックアップ及び復元システム９００の構成を示すブロック図である。バックアップ及び復元システム９００において、購入情報、等価なアプリケーション（equivalency）及びコンテンツの配信は、全てサードパーティによって行われる。バックアップ及び復元システム９００は、プラットホーム９１０及びサードパーティコンテンツ／アプリケーションカタログ構成要素９５０に接続されたモバイル機器７０５を備える。サードパーティコンテンツ／アプリケーションカタログ構成要素９５０は、サードパーティコンテンツ／アプリケーションカタログ構成要素９５０にはユーザ購入履歴データ格納装置７３０が含まれているが、サードパーティコンテンツ／アプリケーションカタログ構成要素８１０にはそれが含まれていない点を除いて、サードパーティコンテンツ／アプリケーションカタログ構成要素８１０と同じものである。
【００８４】
図１７は、本発明の他の実施の形態に基づいて、コンテンツをバックアップするバックアップ及び復元システム１０００の構成を示すブロック図である。バックアップ及び復元システム１０００は、サードパーティコンテンツ／アプリケーションカタログ構成要素１０１０に接続されたモバイル機器７０５を備える。サードパーティコンテンツ／アプリケーションカタログ構成要素１０１０は、図１４のサードパーティマッピングインタフェース８４５が、バックアップクライアント７０９に接続されたコンテンツ／アプリケーション復元マネージャ１０１５に置き換えられた以外は、サードパーティコンテンツ／アプリケーションカタログ構成要素９５０と同じものである。
【００８５】
図１８は、本発明の一実施の形態に基づいた、モバイル機器クライアント（mobile device client）と、同期プラットホームサーバ（synchronization platform server）と、コンテンツ保存装置（content repository）との間の相互作用を表すシーケンス１１００を示す図である。ステップ１１１０において、ユーザは、コンテンツを取得する（例えば購入する、ライセンシングする、定期購読する等の）ルーチンを開始し、ステップ１１１５において、クライアントは、サーバと通信して、新しいアプリケーションを登録し、それによって、ステップ１１２０において、適切なアプリケーションデータ格納部を更新する。ステップ１１２５において、ユーザは、アプリケーションを購入することを選択し、ステップ１１３０において、クライアントは、購入アプリケーションをサーバに登録し、それによって、ステップ１１３５において、アプリケーションデータ格納部を更新する。ステップ１１４０において、ユーザは、新しいコンテンツの取得を完了したこを示し、ステップ１１４５において、クライアントは、購入が完了したことをサーバに通知する。ステップ１１５０において、データ格納部が更新される。
【００８６】
後で、モバイル機器が復元されるとき、例えば動作を停止から動作を再開したときに、ステップ１１５５において、クライアントは、モバイル機器を復元することをサーバに通知する。ステップ１１６０において、モバイル機器は、モバイル機器に取得された定期購読を問い合わせるコマンドを送信する。ステップ１１６５において、サーバは、等価なコンテンツを含む定期購読アプリケーションのリストを読み出し、ステップ１１７０において、このリストをクライアントに返す。ステップ１１７５において、クライアントは、このリストをユーザに表示し、ユーザは、所望のコンテンツを選択することができる。ステップ１１８０において、クライアントは、アプリケーション（元のアプリケーション、等価なアプリケーション、アップグレードされたアプリケーション等）を要求し、ステップ１１８５において、そのアプリケーションは、クライアントに返される。ステップ１１９０において、アプリケーションは、モバイル機器にインストールされる。ステップ１１９５において、モバイル機器は、アプリケーションの設定を要求し、ステップ１１９５において、その設定が読み出され、ステップ１１９９において、モバイル機器にインストールされる。
【００８７】
サードパーティコンテンツプロバイダの問合（Querying Third-Party Content Providers）
上述のように、サードパーティコンテンツプロバイダは、問い合わせ可能なインタフェースをサポートしており、これらのインタフェースによって、同期プラットホームは、所定のユーザによって以前に購入されたコンテンツのリスト、コンテンツカタログ内のアイテムに関するメタデータ、以前に購入されたコンテンツについての等価なデータ、及び新しい携帯電話機上の等価なコンテンツを検索する機構を、読み出すことができる。
【００８８】
以前に購入されたコンテンツのリストは、同期プラットホームが、これらのインタフェースに対する後続の呼（subsequent calls）において、サードパーティコンテンツプロバイダに提示する固有の識別子を含んでおり、サードパーティコンテンツプロバイダは、コンテンツのインスタンスを（例えば「Who Let The Dogs Out」の着信音を、ＭＰ３のフォーマットによって、１２８ｋｂｐｓで）供給する。メタデータは、情報、例えばコンテンツカタログ内の特定のコンテンツアイテムの名前、説明、サイズ及びフォーマットを含むことができる。等価なデータは、以前に購入されたコンテンツＩＤと、所定のＢＲＥＷプラットホームＩＤに適した新しいコンテンツＩＤとを含むことができる。等価なコンテンツを検索する機構は、好ましくは、バイナリデータが読み出すことができるＨＴＴＰユニフォームリソースロケータ（ＵＲＬ）を返すインタフェースを含んでいる。このインタフェースがアクセスされたとき、サードパーティコンテンツプロバイダは、所望のデジタル権利管理（digital rights management、以下、ＤＲＭという）、例えばダウンロードできる残りの回数を適用することができる。ＨＴＴＰ以外の機構を本発明に基づいて用いることができることは、言うまでもない。
【００８９】
サードパーティコンテンツプロバイダは、様々な方法で問い合わせられることができる。一例として、サードパーティコンテンツプロバイダは、問合コマンドを含むＵＲＬを用いてそれにアクセスすることによって、問い合わせられる。この例において、ＵＲＬは、基本のＵＲＬパス（ここでは「/la/f lcpi」）と、オペレーションコード、オペレーションバージョンナンバ及びユーザ電話番号を含む文字列とを含んでいる。ＵＲＬは、一般的な形式：
https://address/base URL path/cpi?op=operationcode&v=versionnumber&u=telephonenumberを有し、ここで、アドレスは、サードパーティコンテンツプロバイダのドメインである。
【００９０】
したがって、例えば、サードパーティコンテンツプロバイダのアドレスが「contentprovider.com」である場合、問合は、ユーザによって購入されたユーザコンテンツのリスト（オペレーションコードは１である）を検索ものであり、オペレーションバージョンナンバは１であり、ユーザは電話番号１５５５５５５１２１２によって識別され、そして、問合ＵＲＬは、
https://contentprovider.com/al/flcpi?op=l&v=l&u=15555551212
となる。
【００９１】
この問合ＵＲＬを用いて、サードパーティコンテンツプロバイダにアクセスすることにより、結果、例えば持続的で固有のコンテンツインスタンスＩＤのリストが返信される。
【００９２】
他の具体例において、問合は、コンテンツの詳細、例えばサードパーティコンテンツプロバイダが所有するコンテンツに対する特定のインスタンスに関するメタデータを検索するものである。この具体例において、問合ＵＲＬは、以下の通りである。
https ://contentprovider.com/al/flcpi ?op=2&v= 1 &cid=A123897ADFAD
ここで、オペレーションコードは１であり、オペレーションバージョンナンバは１である。文字列「A123897ADFAD」は、問題としているコンテンツインスタンスＩＤである。この問合ＵＲＬを用いて、サードパーティコンテンツプロバイダにアクセスすることにより、返信結果、例えば、コンテンツのインスタンス、例えばコンテンツのファイル名、コンテンツの説明、コンテンツのサイズ、コンテンツのフォーマット記述（content format description）、コンテンツの符号化記述（content encoding description）及びコンテンツの作成者（author）に関するメタデータを含む、区切り記号で区切られたフィールド（delimiter separated fields）が表示される。
【００９３】
同様に、適切なオペレーションコード及びそれに関連したパラメータを用いることにより、コンテンツポータビリティインタフェースは、問い合わせられ、正しい等価なコンテンツのリストを返信するとともに、特定のプレミアムコンテンツアイテムの適切なバージョンをダウンロードする同期プラットホームによって利用できるコンテンツＵＲＬを返信することができる。
【００９４】
コンテンツ移動（Migration）
本発明の実施の形態は、モバイル機器が、他のモバイル機器で利用可能なコンテンツにアクセスするように設定又は更新するインタフェースを提供する。図１９Ａは、例えば、テトリスと、チェスゲームと、列車時刻表アプリケーションとにそれぞれ対応したアイコン１２１０と、アイコン１２２０と、アイコン１２３０とを示す図であり、アイコン１２１０、１２２０、１２３０は、第１の携帯電話機（携帯電話機１）と、第２の携帯電話機（携帯電話機２）と、第３の携帯電話機（携帯電話機３）とに対応している。図１９Ａに点線で示すように、アイコン１２１０は、アイコン１２１５にドラッグ＆ドロップされ、アイコン１２２０は、アイコン１２２５にドラッグ＆ドロップされ、アイコン１２３０は、アイコン１２３５にドラッグ＆ドロップされる。この結果、例えば上述のように、コンテンツプロバイダ上のゲームテトリス（例えばＵＲＬ）へのリンクが、携帯電話機１に保存される。図１９Ｂに示すように、テトリスのアイコン４０１及びそれに対応したリンク４０１Ａは、例えば図９に示すように、携帯電話機１と携帯電話機２に保存される。同様に、チェスゲームのアイコン４０２及びその関連したリンク４０２Ａも、また、携帯電話機２に保存され、列車時刻表アプリケーションのアイコン４０３及びその関連したリンク４０３Ａは、携帯電話機３に保存される。好ましくは、アイコン４０１〜４０３及び関連したリンク４０１Ａ〜４０３Ａは、携帯電話機１〜３に無線で送信される。
【００９５】
一実施の形態において、システム１２００は、アイコン及び関連したリンクを、携帯電話機１〜３のうちの１つから受信するようにプログラムされている。一例として、システム１２００は、アイコン及び関連したリンクを携帯電話機１から受信する。そして、アイコンは、単独で、又は他のアイコンのリストにおいて、システム１２００上に表示される。その後、上述のように、アイコン及び関連したリンクは、選択されて、携帯電話機２、３に転送される。
【００９６】
システム１２００は、コンテンツを携帯電話機に転送するようにプログラムされているが、また、システム１２００は新しいコンテンツを携帯電話機１〜３に申し込ませるためにも用いることができることは、明らかである。これらの新しい申込みは、携帯電話機１〜３のうちの１つ以上に以前に取得された、例えば上述の購入履歴データベース内の履歴に基づくことができる。システム１２００は、コンテンツ及びコンテンツの定価（list prices）を表示し、コンテンツを携帯電話機に送信するようにプログラムすることができる。一実施の形態において、コンテンツへのリンクは、１つのモバイル機器から他のモバイル機器に自動的且つ定期的に転送され、それにより、２つのモバイル機器は、同期する。
【００９７】
動作において、コンテンツへのリンクは、携帯電話機から遠隔にあるプラットホームに保存される。コンテンツが携帯電話機に復元されるとき、携帯電話機は、コンテンツを１つ以上のコンテンツプロバイダに関連付けるプラットホームと通信する。プラットホームは、１つ以上のプロバイダに連絡し、プロバイダは、コンテンツを携帯電話機に直接転送する。置換コンテンツ、例えばアップグレードされたコンテンツ、等価なコンテンツ、関連コンテンツ等が、携帯電話機のユーザに提示され、そして、ユーザは、通常料金、割引料金又は無料で、置換コンテンツを選択することができる。置換コンテンツは、ユーザの過去の購入履歴から決定することができ、ユーザの過去の購入履歴は、この目的のために、保存されて、用いられる。
【００９８】
他の実施の形態の動作において、コンテンツへのリンクは、携帯電話機に保存され、携帯電話機上のアイコンが選択されると、携帯電話機は、コンテンツプロバイダと直接通信し、コンテンツプロバイダは、そのコンテンツを携帯電話機に転送する。更に他の実施の形態の動作において、コンテンツへのリンクは、中央の装置に保存され、選択された携帯電話機に転送される。このように、携帯電話機は、他の携帯電話機が以前アクセス可能だったコンテンツにアクセスできるように構成される。
【００９９】
本願に含まれる多くの実施の形態は、携帯電話機に関するものであるが、他の電子機器を本発明の実施の形態において用いることができ、電子電子機器には、これらに限定されるものではないが、携帯情報端末及びパーソナルコンピュータが含まれることは、言うまでもない。
【０１００】
添付の特許請求の範囲によって定義される本発明の精神及び範囲から逸脱することなく、この実施の形態を変形できることは、当業者にとって明らかである。
【図１】
2010517173.tif 000003
【図２】
2010517173.tif 000004
【図３】
2010517173.tif 000005
【図４】
2010517173.tif 000006
【図５】
2010517173.tif 000007
【図６】
2010517173.tif 000008
【図７】
2010517173.tif 000009
【図８Ａ】
2010517173.tif 000010
【図８Ｂ】
2010517173.tif 000011
【図９】
2010517173.tif 000012
【図１０】
2010517173.tif 000013
【図１１】
2010517173.tif 000014
【図１２】
2010517173.tif 000015
【図１３】
2010517173.tif 000016
【図１４】
2010517173.tif 000017
【図１５】
2010517173.tif 000018
【図１６】
2010517173.tif 000019
【図１７】
2010517173.tif 000020
【図１８】
2010517173.tif 000021
【図１９】
2010517173.tif 000022
【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
モバイル機器に関連したコンテンツを、該モバイル機器に供給するコンテンツ供給方法において、  上記モバイル機器に関連し、ソースを検出するための情報が遠方で保持されている上記コンテンツのソースを判定するステップと、  上記ソースから上記コンテンツを、上記モバイル機器がアクセス可能な記憶場所に送信するステップとを有するコンテンツ供給方法。
【請求項２】
上記記憶場所は、上記モバイル機器上にあることを特徴とする請求項１記載のコンテンツ供給方法。
【請求項３】
上記コンテンツは、上記ソースから上記モバイル機器に直接送信されることを特徴とする請求項２記載のコンテンツ供給方法。
【請求項４】
上記記憶場所は、上記モバイル機器から遠隔にあることを特徴とする請求項１記載のコンテンツ供給方法。
【請求項５】
上記記憶場所にある上記コンテンツにアクセスする選択可能なリンクを、上記モバイル機器に保存するステップを更に有する請求項４記載のコンテンツ供給方法。
【請求項６】
上記ソースを、上記コンテンツ、上記モバイル機器又はその両方に関連付けるデータを保存するステップを更に有する請求項１記載のコンテンツ供給方法。
【請求項７】
上記データは、上記モバイル機器及び上記記憶場所とは異なる場所に保存されていることを特徴とする請求項６記載のコンテンツ供給方法。
【請求項８】
上記ソースを判定するために、上記データを解析するステップを更に有する請求項６記載のコンテンツ供給方法。
【請求項９】
上記データは、上記ソースへのパス名を含むことを特徴とする請求項６記載のコンテンツ供給方法。
【請求項１０】
上記パス名は、ユニフォームリソースロケータを含むことを特徴とする請求項９記載のコンテンツ供給方法。
【請求項１１】
上記ソースを判定するステップは、  上記コンテンツの１つ以上の場所を問い合わせるステップを有することを特徴とする請求項１記載のコンテンツ供給方法。
【請求項１２】
上記１つ以上の場所は、サードパーティコンテンツプロバイダを含むことを特徴とする請求項１１記載のコンテンツ供給方法。
【請求項１３】
上記コンテンツに対応するアイコンを、上記モバイル機器上に表示するステップと、  上記アイコンを選択して、上記コンテンツを上記ソースから上記記憶場所に自動的に送信するステップとを更に有する請求項１記載のコンテンツ供給方法。
【請求項１４】
上記コンテンツを、複数のソースから単一の集約インタフェースを介して自動的に読み出すステップを更に有する請求項１記載のコンテンツ供給方法。
【請求項１５】
上記複数のソースは、サードパーティコンテンツプロバイダを含むことを特徴とする請求項１４記載のコンテンツ供給方法。
【請求項１６】
機器からコンテンツにアクセスするコンテンツアクセス方法において、  上記機器に関連し、記憶装置に保存されているコンテンツのリンクを、該機器によって選択するステップと、  上記リンクの選択に応じて、上記機器によって上記コンテンツに自動的にアクセスするステップとを有するコンテンツアクセス方法。
【請求項１７】
上記記憶装置は、上記機器から遠隔にあることを特徴とする請求項１６記載のコンテンツアクセス方法。
【請求項１８】
上記リンクを選択するステップは、  上記コンテンツのコピーを上記記憶装置から上記機器に送信するステップを有することを特徴とする請求項１７記載のコンテンツアクセス方法。
【請求項１９】
上記コンテンツにアクセスするステップは、  上記コンテンツが上記記憶装置に保存されていないことを判定するステップと、  上記コンテンツを上記記憶装置に受信するステップとを有することを特徴とする請求項１６記載のコンテンツアクセス方法。
【請求項２０】
上記遠隔の場所は、サードパーティコンテンツプロバイダに対応することを特徴とする請求項１９記載のコンテンツアクセス方法。
【請求項２１】
上記コンテンツが記憶装置に保存されていないことを判定するステップは、  上記記憶装置に、上記コンテンツのハッシュに一致するハッシュを有するコンテンツがないことを判定するステップを有することを特徴とする請求項１９記載のコンテンツアクセス方法。
【請求項２２】
上記機器は、携帯電話機、携帯情報端末又はパーソナルコンピュータからなることを特徴とする請求項１６記載のコンテンツアクセス方法。
【請求項２３】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項１６記載のコンテンツアクセス方法。
【請求項２４】
第１及び第２の機器にコンテンツを提供するコンテンツ提供方法において、  １つ以上のエンティティに関連したデジタルコンテンツの取得の上記第１の機器に関連した履歴を、該第１の機器の外部に保存するステップと、  上記取得履歴に基づく、上記第１又は第２の機器上のデジタルコンテンツのローディング、再ローディング又はアップグレードする申込みを、該第１又は第２の機器上に表示するステップとを有するコンテンツ提供方法。
【請求項２５】
上記１つ以上のエンティティは、ユーザに対応することを特徴とする請求項２４記載のコンテンツ提供方法。
【請求項２６】
上記１つ以上のエンティティは、モバイル機器に対応することを特徴とする請求項２４記載のコンテンツ提供方法。
【請求項２７】
上記コンテンツの申込みは、コンテンツの購入、コンテンツの定期購読、コンテンツのライセンシング、コンテンツのアップグレード、コンテンツの置換又はこれらの組合せであることを特徴とする請求項２４記載のコンテンツ提供方法。
【請求項２８】
更新されたコンテンツは、上記取得履歴に対応するコンテンツを変換又はサイズ変更したコンテンツからなることを特徴とする請求項２７記載のコンテンツ提供方法。
【請求項２９】
置換又は更新するコンテンツを、上記第１の機器に自動的に受信するステップを更に有する請求項２４記載のコンテンツ提供方法。
【請求項３０】
上記取得履歴は、コンテンツプロバイダの場所に保存されていることを特徴とする請求項２４記載のコンテンツ提供方法。
【請求項３１】
上記１つ以上のエンティティに関連した取得履歴を得るために、上記コンテンツプロバイダの場所をポーリングするステップを更に有する請求項３０記載のコンテンツ提供方法。
【請求項３２】
上記１つ以上のエンティティに関連した取得履歴が保存されているコンテンツプロバイダの場所から、通知を自動的に受信するステップを更に有する請求項３０記載のコンテンツ提供方法。
【請求項３３】
上記１つ以上のエンティティによって取得されたコンテンツに関するメタデータを保存するステップを更に有する請求項２４記載のコンテンツ提供方法。
【請求項３４】
上記メタデータは、コンテンツの名前、コンテンツの説明、コンテンツのサイズ、コンテンツのフォーマット、コンテンツの符号化、コンテンツの作成者又はこれらの組合せを含むことを特徴とする請求項２４記載のコンテンツ提供方法。
【請求項３５】
上記取得履歴は、ライセンスの使用回数を含むことを特徴とする請求項２４記載のコンテンツ提供方法。
【請求項３６】
機器にコンテンツを提供するコンテンツ提供方法において、  １つ以上のエンティティに取得されたコンテンツの第１のリストを表示するステップと、  上記第１のリスト内の１つ以上のアイテムを、第１のモバイル機器に送信するステップとを有するコンテンツ提供方法。
【請求項３７】
上記１つ以上のアイテムは、該１つ以上のアイテムの選択に応じて送信されることを特徴とする請求項３６記載のコンテンツ提供方法。
【請求項３８】
上記第１のリストを上記第１のモバイル機器に送信するステップと、  上記１つ以上のアイテムを、上記第１のモバイル機器によって選択するステップとを更に有する請求項３６記載のコンテンツ提供方法。
【請求項３９】
上記第１のリストを表示するステップ、上記１つ以上のアイテムを選択するステップ及び上記１つ以上のアイテムを送信するステップは、全て上記第１のモバイル機器から遠隔にある場所で実行されることを特徴とする請求項３８記載のコンテンツ提供方法。
【請求項４０】
モバイル機器の第２のリストを選択するステップと、  上記１つ以上のアイテムを、上記第２のリスト内のモバイル機器に送信するステップとを更に有する請求項３６記載のコンテンツ提供方法。
【請求項４１】
上記１つ以上のアイテムは、上記第１のモバイル機器に自動的に送信されることを特徴とする請求項３６記載のコンテンツ提供方法。
【請求項４２】
上記第１のリストは、上記第１のモバイル機器、上記第２のモバイル機器又はその両方に関連した取得履歴から生成されることを特徴とする請求項３６記載のコンテンツ提供方法。
【請求項４３】
上記第１及び第２のモバイル機器は、異なることを特徴とする請求項４２記載のコンテンツ提供方法。
【請求項４４】
上記第１及び第２のモバイル機器は、同じであることを特徴とする請求項４２記載のコンテンツ提供方法。
【請求項４５】
機器を構成する機器構成方法において、  第１の機器から記憶装置上のコンテンツへのリンクを構成するステップと、  上記リンクを、第２の機器に保存するステップとを有する機器構成方法。
【請求項４６】
上記リンクを保存するステップは、  上記コンテンツと、該コンテンツを選択するデータとを保存するステップを有することを特徴とする請求項４５記載の機器構成方法。
【請求項４７】
上記リンク、上記コンテンツ又はその両方は、上記第２の機器の初期設定の間に、該第２の機器に保存されることを特徴とする請求項４５記載の機器構成方法。
【請求項４８】
上記リンク、上記コンテンツ又はその両方は、所定の時間間隔で、上記第２の機器に保存されることを特徴とする請求項４５記載の機器構成方法。
【請求項４９】
上記リンク、上記コンテンツ又はその両方は、上記記憶装置から上記第２の機器に無線で送信されることを特徴とする請求項４５記載の機器構成方法。
【請求項５０】
上記第２の機器は、携帯電話機、携帯情報端末又はパーソナルコンピュータからなることを特徴とする請求項４５記載の機器構成方法。
【請求項５１】
コンテンツにアクセスするリンクを有し、該リンクを用いて、該コンテンツにアクセスするようにプログラムされたクライアントモジュールを備えるモバイル機器。
【請求項５２】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項５１記載のモバイル機器。
【請求項５３】
上記クライアントモジュールは、上記コンテンツのコピーを要求することによって、該コンテンツにアクセスするようにプログラムされていることを特徴とする請求項５１記載のモバイル機器。
【請求項５４】
上記クライアントモジュールは、上記モバイル機器に取得されたコンテンツを置換する置換コンテンツを選択するアイコンを、表示するようにプログラムされていることを特徴とする請求項５３記載のモバイル機器。
【請求項５５】
上記置換コンテンツは、上記モバイル機器に取得されたコンテンツのアップグレード、又は該モバイル機器に取得された該コンテンツの異なるバージョンからなることを特徴とする請求項５４記載のモバイル機器。
【請求項５６】
上記クライアントモジュールは、上記リンクを用いて、上記コンテンツを無線で読み出すようにプログラムされていることを特徴とする請求項５１記載のモバイル機器。
【請求項５７】
上記モバイル機器は、携帯電話機、携帯情報端末又はパーソナルコンピュータからなることを特徴とする請求項５１記載のモバイル機器。
【請求項５８】
モバイル機器のコンテンツを管理するコンテンツ管理システムにおいて、  上記モバイル機器に関連した識別子に関連したコンテンツを有するコンテンツモジュールと、  上記識別子に基づいて、上記コンテンツモジュールから、上記コンテンツを上記モバイル機器に転送するようにプログラムされた配信インタフェースとを備え、  上記識別子は、上記モバイル機器の外部に保持されていることを特徴とするコンテンツ管理システム。
【請求項５９】
上記配信インタフェースは、上記モバイル機器がアクセス可能なコンテンツまでのリンクを用いて、該コンテンツを、上記コンテンツモジュールから該モバイル機器に転送するようにプログラムされていることを特徴とする請求項５８記載のコンテンツ管理システム。
【請求項６０】
上記コンテンツは、モバイルアプリケーションプログラム、モバイル呼出音、モバイル壁紙、ビデオデータ、音声データ、デジタル画像、リングバックトーン又はこれらの組合せからなることを特徴とする請求項５８記載のコンテンツ管理システム。
【請求項６１】
取得コンテンツを保存するデータ格納部を更に備える請求項５８記載のコンテンツ管理システム。
【請求項６２】
上記取得コンテンツを置換コンテンツにマッピングする置換モジュールを更に備える請求項６１記載のコンテンツ管理システム。
【請求項６３】
１つ以上のソースからコンテンツを受信するようにプログラムされたインタフェースを更に備える請求項５８記載のコンテンツ管理システム。
【請求項６４】
上記インタフェースは、上記１つ以上のソースから上記モバイル機器に取得されたコンテンツを判定するために、該１つ以上のソースをポーリングするようにプログラムされていることを特徴とする請求項６３記載のコンテンツ管理システム。
【請求項６５】
上記１つ以上のソースを判定するために、上記コンテンツを解析するパーサを更に備える請求項６３記載のコンテンツ管理システム。
【請求項６６】
上記１つ以上のソースは、サードパーティコンテンツプロバイダであることを特徴とする請求項６３記載のコンテンツ管理システム。
【請求項６７】
上記インタフェースは、  上記モバイル機器を、統一資源識別子を用いて、上記１つ以上のソースに接続する接続モジュールを備えることを特徴とする請求項６３記載のコンテンツ管理システム。
【請求項６８】
上記モバイル機器による置換コンテンツの申込みを生成する申込みモジュールを更に備える請求項６３記載のコンテンツ管理システム。
【請求項６９】
上記申込みモジュールは、上記申込みに関連したデータを、上記モバイル機器に送信するようにプログラムされており、該モバイル機器は、該申込みを表示及び選択するようにプログラムされていることを特徴とする請求項６８記載のコンテンツ管理システム。
【請求項７０】
上記申込みモジュールは、１つ以上のエンティティに対する取得履歴から上記申込みを生成するようにプログラムされていることを特徴とする請求項６９記載のコンテンツ管理システム。
【請求項７１】
上記１つ以上のエンティティは、ユーザからなることを特徴とする請求項７０記載のコンテンツ管理システム。
【請求項７２】
上記１つ以上のエンティティは、携帯電話機からなることを特徴とする請求項７０記載のコンテンツ管理システム。
【請求項７３】
コンテンツに関するメタデータを含むメタデータ格納部を更に備える請求項６３記載のコンテンツ管理システム。
【請求項７４】
上記メタデータは、モバイル機器の製造業者、モバイル機器のバージョン、該モバイル機器の動作能力又はこれらの組合せを示す情報を含むことを特徴とする請求項７３記載のコンテンツ管理システム。
【請求項７５】
上記動作能力は、画面サイズ、画素数又はその両方を含むことを特徴とする請求項７４記載のコンテンツ管理システム。
【請求項７６】
上記コンテンツマネージャに接続され、上記コンテンツを管理するようにプログラムされたウェブベースのインタフェースを更に備える請求項６３記載のコンテンツ管理システム。
【請求項７７】
マルチメディアコンテンツデータ格納部と、  ユーザ生成コンテンツデータ格納部と、  アプリケーションデータ格納部とを更に備える請求項６３記載のコンテンツ管理システム。
【請求項７８】
上記モバイル機器は、携帯電話機、携帯情報端末又はパーソナルコンピュータからなることを特徴とする請求項６３記載のコンテンツ管理システム。
【請求項７９】
機器によって用いられるコンテンツを保存するコンテンツ保存方法において、  上記機器に関連したコンテンツを、該機器がアクセス可能な記憶装置に保存するステップと、  上記コンテンツに自動的にアクセスするリンクを、上記機器に保存するステップとを有するコンテンツ保存方法。
【請求項８０】
上記リンクは、上記コンテンツと、上記記憶装置上の該コンテンツのロケータとに関するメタデータを含むことを特徴とする請求項７９記載のコンテンツ保存方法。
【請求項８１】
上記記憶装置は、上記機器上にあることを特徴とする請求項８０記載のコンテンツ保存方法。
【請求項８２】
上記記憶装置は、上記機器から遠隔にあることを特徴とする請求項８０記載のコンテンツ保存方法。
【請求項８３】
上記コンテンツのロケータは、統一資源識別子からなることを特徴とする請求項８２記載のコンテンツ保存方法。
【請求項８４】
上記リンクを選択するデジタル画像を、上記機器上に表示するステップを更に有する請求項７９記載のコンテンツ保存方法。
【請求項８５】
上記コンテンツは、モバイルアプリケーションプログラム、モバイル呼出音、モバイル壁紙、ビデオデータ、音声データ、デジタル画像、上記機器と異なるモジュールで選択されたリングバックトーン又はこれらの組合せからなることを特徴とする請求項７９記載のコンテンツ保存方法。
【請求項８６】
上記機器は、携帯電話機、携帯情報端末又はパーソナルコンピュータからなることを特徴とする請求項７９記載のコンテンツ保存方法。
【国際調査報告】
2010517173.tif 000023